(57)【特許請求の範囲】
【請求項１】
第１のネットワークを介したパケットの受信、及び第２のネットワークを介したパケットの送受信が可能な第１の端末装置と、第１のネットワークを介したパケットの送信及び第２のネットワークを介したパケットの送受信が可能な第２の端末装置とを含む通信システムにおいて、
前記第１の端末装置は、前記第２のネットワークを介して、前記第２の端末装置と通信を行い、該第１の端末装置が受信側として前記第１のネットワークを使用するための所定の手続を行い、
前記第２の端末装置は、前記第１の端末装置が前記第１のネットワークを介してパケットを受信するために、該第１のネットワークに送出すべき情報を、前記第１の端末装置の代わりに該第１のネットワークに送信し、
前記第１の端末装置は、前記第１のネットワークを介して前記第２の端末装置から送信されたパケットを受信することを特徴とする通信システム。
【請求項２】
前記第２の端末装置は、前記第１の端末装置から通知された、該第１の端末装置に対して送信側となる装置が、前記第１のネットワークを介したパケットの送受信が可能な他の端末装置である場合に、
該他の端末装置に対し、該第１のネットワークを介して、前記他の端末装置が前記第１の端末装置宛のパケットを送信するために必要な情報を送信することを特徴とする請求項１に記載の通信システム。
【請求項３】
前記第２の端末装置は、前記第１の端末装置から通知された、該第１の端末装置に対して送信側となる装置が、前記第１及び第２のネットワークとは異なる第３のネットワーク上の他の装置である場合に、
該他の装置に対し、該第３ネットワークを介して、該第２の端末装置宛のパケットを送出すべき旨の情報を送信し、
前記他の装置は、前記第３のネットワークを介して前記第２の端末装置にパケットを送信し、
前記第２の端末装置は、前記第３のネットワークを介して前記他の装置から受信したパケットを前記第１のネットワークを介して前記第１の端末装置宛に送信することを特徴とする請求項１に記載の通信システム。
【請求項４】
第１のネットワークを介したパケットの受信、及び第２のネットワークを介したパケットの送受信が可能な第１の端末装置と、前記第１のネットワークを介したパケットの送信、及び第３のネットワークを介したパケットの送受信が可能な第２の端末装置と、前記第２のネットワークを介したパケットの送受信、及び前記第３のネットワークを介したパケットの送受信が可能な第３の端末装置と、前記第３のネットワークを介したパケットの送受信が可能な第４の装置とを含む通信システムにおいて、
前記第１の端末装置は、前記第２のネットワークを介して前記第３の端末装置と通信を行い、該第１の端末装置が受信側として前記第１のネットワークを使用するための所定の手続を行い、
前記第３の端末装置は、前記第３のネットワークを介して前記第２の端末装置と通信を行い、該第１の端末装置が受信側として前記第１のネットワークを使用するための所定の手続を行い、
前記第３の端末装置は、前記第３及び前記第１のネットワークを介して、前記第４の装置から前記第１の端末装置へのパケットの転送を前記第２の端末装置に中継させるための所定の手続を行い、
前記第１の端末装置は、前記第４の装置宛のパケット送信要求を前記第２のネットワークを介して前記第３の端末装置に送信し、
前記第３の端末装置は、受信した前記パケット送信要求を前記第３のネットワークを介して前記第４の装置に送信し、
前記第４の装置は、受信した前記パケット送信要求に応答して、前記第３のネットワークを介して前記第２の端末装置にパケットを送信し、
前記第２の端末装置は、受信した前記パケットを前記第１のネットワークを介して前記第１の端末装置に送信することを特徴とする通信システム。
【請求項５】
第１のネットワークを介して少なくともパケット送信を行う第１のインターフェース手段と、
第２のネットワークへのパケット送受信を行う第２のインターフェース手段と、
前記第２のインターフェース手段を介して通信可能な第１の端末から、該第１の端末の有する、前記第１のネットワークからのパケット受信を行うインタフェース手段のインタフェースアドレスを、該第１のインタフェースを介して受信するインタフェースアドレス受信手段と、
前記インタフェースアドレス受信手段により受信した前記インタフェースアドレスに対して、前記第１のインターフェース手段を介して所定のパケットを送信するパケット送信手段とを具備したことを特徴とする端末装置。
【請求項６】
前記第１の端末からの前記第１のネットワークにおける認証要求およびまたは前記第１の端末からの前記第１のネットワークへの加入要求を、前記第２のインタフェース手段を介して受信する要求受信手段と、
前記認証要求およびまたは加入要求に基づいて、前記第１の端末の前記第１のネットワークにおける認証処理およびまたは加入処理を、前記第１のインタフェースを介して実行する要求処理手段とをさらに具備したことを特徴とする請求項５に記載の端末装置。
【請求項７】
前記第１の端末からの前記第１のネットワークへのパケット送信要求を、前記第２のインタフェース手段を介して受信するパケット要求受信手段をさらに具備し、
前記パケット送信手段は、前記第１のネットワークへのパケット送信要求に基づいて、前記第１の端末へのパケットを前記第１のインタフェース手段を介して送信することを特徴とする請求項５または６に記載の端末装置。
【請求項８】
前記第１の端末からの前記第１のネットワークへのパケット送信要求内に記載されたパケット送信元端末のアドレスが自端末のアドレスでない場合、該パケット送信元端末から自端末へのパケット送信要求を、前記第１のネットワークに送出するパケット送信要求変換送信手段と、
前記パケット送信要求変換送信手段により送信された、前記パケット送信元端末から自端末へのパケット送信要求情報に基づいて前記第１のネットワークを介して転送されてきたパケットを受信するパケット受信手段と、
前記パケット受信手段により受信されたパケットを、前記第１のインタフェース手段を介して前記第１の端末に転送するパケット転送手段とをさらに具備したことを特徴とする請求項７に記載の端末装置。
【請求項９】
前記第１の端末からの前記第１のネットワークへのリソース獲得要求を、前記第２のインタフェース手段を介して受信するリソース獲得要求受信手段と、
前記第１のネットワークへのリソース獲得要求に基づいて、前記第１のネットワーク上でのリソース獲得処理を実行するリソース獲得手段とをさらに具備したことを特徴とする請求項５ないし８のいずれか１項に記載の端末装置。
【請求項１０】
前記第１の端末から前記第２のインタフェース手段を介して受信したパケット内に、前記第１のネットワークに関する制御情報が含まれているか否かを識別するパケット種別識別手段と、
前記パケット種別識別手段により、前記パケット内に前記第１のネットワークに関する制御情報が含まれていると判断された場合には、該制御情報に対応する処理を、前記第１のネットワークに対して実行する制御機能実行手段とをさらに具備したことを特徴とする請求項５ないし９のいずれか１項に記載の端末装置。
【請求項１１】
前記第１のネットワーク上に存在する端末の有する、前記第１のネットワークからのパケット受信を行うインタフェース手段のインタフェースアドレスと、前記第２のネットワークへのパケット送受信を行うインタフェース手段の有するインタフェースアドレスとの間の対応関係を記憶するためのインタフェースアドレス対応関係記憶手段と、
前記第１の端末から前記第２のインタフェース手段を介して受信したパケット内に記載されているパケット送信元端末のインタフェースアドレスが、前記インタフェースアドレス対応関係記憶手段に記憶されている、前記第１のネットワークからのパケット受信を行うインタフェース手段の有するインタフェースアドレスと一致するか否かに従って、該受信したパケット内に、前記第１のネットワークに関する制御情報が含まれているか否かを識別するパケット種別識別手段と、
前記パケット種別識別手段により、前記パケット内に前記第１のネットワークに関する制御情報が含まれていると判断された場合には、該制御情報に対応する処理を、前記第１のネットワークに対して実行する制御機能実行手段とをさらに具備したことを特徴とする請求項５ないし９のいずれか１項に記載の端末装置。
【請求項１２】
前記パケット送信手段により送出されたパケットを前記第１の端末が受信した場合に送出すべき受信確認応答用のパケットを、該第１の端末の代わりに送出する受信確認応答パケット送出手段をさらに具備したことを特徴とする請求項５ないし１１のいずれか１項に記載の端末装置。
【請求項１３】
前記第１のネットワーク上に存在する端末の有する、前記第１のネットワークからのパケット受信を行うインタフェース手段のインタフェースアドレスと、前記第２のネットワークへのパケット送受信を行うインタフェース手段の有するインタフェースアドレスとの間の対応関係を記憶するためのインタフェースアドレス対応関係記憶手段と、
前記インタフェースアドレス対応関係記憶手段に記憶されている情報に基いて、前記受信確認応答パケット送出手段による前記受信確認応答パケットの送出を実行するか否かを決定する受信確認応答パケット送出制御手段とをさらに具備したことを特徴とする請求項１２に記載の無線端末。
【請求項１４】
前記第１の端末の有する、前記第１のネットワークからのパケット受信を行うインタフェース手段のインタフェースアドレスと、前記第２のネットワークへのパケット送受信を行うインタフェース手段の有するインタフェースアドレスとの間の対応関係を記憶するインタフェースアドレス対応関係記憶手段をさらに具備したことを特徴とする請求項５ないし１０のいずれか１項に記載の端末装置。
【請求項１５】
第３のネットワークへのパケット送受信を行う第３のインタフェース手段と、
前記第２のインターフェース手段を介して前記第１の端末から受信した所定の制御情報に基づいて、前記第１のインタフェースと前記第３のインタフェースとの間でのパケット転送経路を自端末内部において設定する内部経路設定手段とをさらに具備したことを特徴とする請求項５ないし１４のいずれか１項に記載の端末装置。
【請求項１６】
前記第３のインタフェース手段から受信したパケットを前記第１のインタフェース手段に中継するかまたは前記第２のインタフェース手段に中継するかについて、前記内部経路設定手段による前記自端末内部のパケット転送経路が設定されているか否かに従って判定する手段をさらに具備したことを特徴とする請求項１５に記載の無線端末。
【請求項１７】
第１のネットワークによるパケット受信および第２のネットワークによるパケット送受信が可能な第１の端末に対して、該第２のネットワークにより該第１の端末と通信可能で且つ第３のネットワークにも接続された他の端末から転送される制御情報に基づいて、該第１のネットワークを介したデータ転送を行う端末装置であって、
前記第１のネットワークを介して少なくともパケット送信を行う第１のインターフェース手段と、
前記第３のネットワークへのパケット送受信を行う第３のインターフェース手段と、
前記第１の端末に、前記第１のインターフェース手段を介して、前記第３のインタフェース手段のインタフェースアドレスを通知するアドレス通知手段とを具備したことを特徴とする端末装置。
【請求項１８】
前記アドレス通知手段は、前記第１のインターフェース手段を介して、前記第３のインタフェース手段のインタフェースアドレスをブロードキャストするブロードキャスト通知手段を含むことを特徴とする請求項１７に記載の無線端末。
【請求項１９】
第１のネットワークによるパケット受信および第２のネットワークによるパケット送受信が可能な第１の端末が、該第１のネットワークによるパケット送信が可能で且つ第３のネットワークにも接続された第２の端末からの、該第１のネットワークを介したデータ転送を受けることができるように制御を行う端末装置であって、
前記第２のネットワークへのパケット送受信を行う第２のインターフェース手段と、
前記第３のネットワークへのパケット送受信を行う第３のインターフェース手段と、
前記第１の端末から、前記第２の端末の有する前記第３のネットワークに対応するインターフェース手段のインタフェースアドレスを、前記第２のインタフェース手段を介して受信するインタフェースアドレス受信手段と、
前記インタフェースアドレス受信手段により受信した前記インタフェースアドレスが、前記第３のネットワーク上に存在するか否かを確認するアドレス確認手段と、
前記アドレス確認手段によって確認した結果を、前記第２のインタフェース手段を介して、前記第１の端末に対して応答する確認結果応答手段とを具備したことを特徴とする端末装置。
【請求項２０】
前記アドレス確認手段によって確認された前記インタフェースアドレス情報の明示してあるパケットを、前記第２のインタフェース手段を介して受信した際に、該パケットを前記第３のインタフェース手段を介して該インタフェースアドレスに対して転送するパケット転送手段をさらに具備したことを特徴とする請求項１９に記載の端末装置。
【請求項２１】
第１のネットワークを介して少なくともパケット受信を行う第１のインターフェース手段と、
第２のネットワークへのパケット送受信を行う第２のインターフェース手段と、
前記第１のインターフェース手段によって用いるインタフェースアドレスと、前記第２のインターフェース手段によって用いるインタフェースアドレスとを、同一に設定する手段とを具備したことを特徴とする端末装置。
【請求項２２】
第１のネットワークを介して少なくともパケット受信を行う第１のインターフェース手段と、
第２のネットワークへのパケット送受信を行う第２のインターフェース手段と、
前記第２のインターフェース手段を介して通信可能な所定の端末に対して、前記第１のインターフェース手段によって用いるインタフェースアドレスを、前記第２のインターフェース手段を介して通知するインタフェースアドレス通知手段とを具備したことを特徴とする端末装置。
【請求項２３】
前記第１のネットワークにおける認証処理要求およびまたは加入処理要求を、前記第２のインタフェース手段を介して送出する手段と、
前記第１のネットワークにおける認証処理およびまたは加入処理要求に必要な所定の情報を、前記第１のインタフェースを介して通知し合う手段とをさらに具備したことを特徴とする請求項２１または２２に記載の端末装置。
【請求項２４】
前記第２のインタフェース手段を介して送信するパケット内に前記第１のネットワークに関する制御情報が搭載されている旨を明示する情報を、該パケット内に記載するパケット種別通知手段をさらに具備したことを特徴とする請求項２１ないし２３のいずれか１項に記載の端末装置。
【請求項２５】
前記第１のインタフェース手段を介してパケットを送信する所定の端末の有する、前記第１および第２のネットワークとは異なる第３のネットワークへのパケット送受信を行うインタフェース手段の有する外部インタフェースアドレスを受信する外部インタフェースアドレス受信手段をさらに具備したことを特徴とする請求項２１ないし２４のいずれか１項に記載の無線端末。
【請求項２６】
前記外部インタフェースアドレス受信手段によって受信した、前記所定の端末の有する外部インタフェースアドレスを、前記第２のインタフェース手段を介して前記第２のネットワーク上に存在する他の端末に対して通知する外部インタフェースアドレス通知手段をさらに具備したことを特徴とする請求項２５に記載の端末装置。
【請求項２７】
前記第２のインタフェース手段を介して送信するパケット内に搭載されている情報に対応する前記外部インタフェースアドレスを明示する情報を、該パケット内に記載するパケット対応インタフェース種別通知手段をさらに具備したことを特徴とする請求項２５または２６に記載の端末装置。
【発明の詳細な説明】
【０００１】
【発明の属する技術分野】
本発明は、複数の通信インタフェースを有する端末装置及びその端末装置を含む通信システムに関する。
【０００２】
【従来の技術】
近年、家庭内のネットワーク化が注目を浴びるようになってきたが、特に脚光を浴びているのが、デジタル化された家電機器間を接続するＩＥＥＥ１３９４である。このＩＥＥＥ１３９４バスにおいては、複数の端末をデイジーチェインもしくはスター型に接続し、１００Ｍｂｐｓを超える広帯域のデータを転送することができるようになっている。また、その最も大きな特徴として、同一のケーブル上においてＡｓｙｎｃｈｒｏｎｏｕｓデータとＩｓｏｃｈｒｏｎｏｕｓデータの双方を伝送することが可能となっている点があげられる。このため、元々、ＳＣＳＩの次世代バージョンとして検討が始まっていた１３９４をＡＶ機器間を接続するケーブルとして使用しようとの動きが活発になってきた。
【０００３】
また、無線ネットワーク（無線ＬＡＮ）の高速化も注目されている。特に、１９９８年にＩＥＥＥ８０２．１１の規格が決まったこともあり、多くの無線ＬＡＮ製品が登場しているとともに、その低価格化には目を見張るものがある。このような、無線技術の高度化／低価格化にともなって、これを家庭内にも応用しようとの動きが活発になってきている。米国のＨｏｍｅＲＦやＢｌｕｅｔｏｏｔｈなどの業界団体が設立される等、今後も大きく進歩していくことが予想されている。また、家庭内ネットワークにとっては、新しいケーブルを敷設する必要のない無線システムは非常に受け入れられ易いシステムである。このため、高速化された無線ＬＡＮシステムが、今後、家庭内ネットワークにおける中心的存在となっていくと考えられる。
【０００４】
しかし、無線ネットワークを家庭内に応用する場合には、いくつかの問題が残されている。一つは、無線による広帯域データ転送の実現である。家庭内において転送されるデータとしては、ＴＶ放送や衛星放送等の映像情報が主役であり、このような広帯域データを転送できる無線システムが現れなければ家庭内に無線システムが普及することは難しいと思われる。これに対して、現在、５ＧＨｚ帯を用いた無線システムが検討されている。ここでは、２０〜３０Ｍｂｐｓ程度の伝送レートを実現できる無線システムを検討しており、これによって、ＭＰＥＧ２映像であれば数チャネルを転送できるようになる。また、５ＧＨｚ帯の無線周波数は、家庭内に存在する多くの壁を通り抜けることのできる最後の周波数と言われており、家庭内での広帯域無線の最有力候補と目されている。
【０００５】
ただし、５ＧＨｚ帯無線システムにも問題がある。それは、現状ではＣＭＯＳによってＲＦ機能をＬＳＩ化できない点である。これは、５ＧＨｚ帯の無線システムのコスト化にとって大きな弱点であり、課題である。このような５ＧＨｚ帯の無線システムを如何に安価に提供できるようになるかが、家庭内での無線システムの普及に大きな影響を与えることが予想される。
【０００６】
【発明が解決しようとする課題】
上記のように、５ＧＨｚ帯無線のような広帯域データを転送するための無線装置は、コストが高くなることが予想されている。そのため、５ＧＨｚ帯無線を使って、家庭内での映像データ配信を実行する場合には、その無線端末自身のコストが高くなってしまうことが予想される。これは、家庭製品のようなコストに敏感な製品にとって大きな問題である。
【０００７】
本発明は、上記事情を考慮してなされたもので、少なくとも第１のネットワークのインタフェースと第２のネットワークのインタフェースを有する端末装置において、第２のネットワークのインタフェースでは送受信可能であるが、第２のネットワークのインタフェースでは受信だけ可能であるような場合でも、該端末装置が第２のネットワークにおいて受信ノードとしてデータ転送を受けることを可能にする通信システム及び端末装置を提供することを目的とする。
【０００８】
具体的には、例えば、２．４ＧＨｚ帯無線と５ＧＨｚ帯無線のような２つのインタフェースを有する無線端末において、特に、無線端末が５ＧＨｚ帯無線の受信機能しか持たないような場合でも、５ＧＨｚ帯無線における認証／加入処理や、ＩＥＥＥ１３９４バス上のノードとの間でのＡＶ制御プロトコルに関しては２．４ＧＨｚ帯無線を用いて実行し、実際のデータ転送を５ＧＨｚ帯無線を用いて実行することを可能とする通信システム及び端末装置を提供することを目的とする。
【０００９】
【課題を解決するための手段】
本発明（請求項１）は、第１のネットワーク（例えば、５ＧＨｚ帯無線ＬＡＮ）を介したパケットの受信、及び第２のネットワーク（例えば、２．４ＧＨｚ帯無線ＬＡＮ）を介したパケットの送受信が可能な第１の端末装置（例えば、５ＧＨｚ帯無線ＬＡＮについては受信機能のみを有する無線端末）と、第１のネットワークを介したパケットの送信及び第２のネットワークを介したパケットの送受信が可能な第２の端末装置（例えば、５ＧＨｚ帯無線ＬＡＮについてはＰｏｉｎｔ  Ｃｏｒｄｉｎａｔｏｒ機能を提供する無線端末）とを含む通信システムにおいて、前記第１の端末装置は、前記第２のネットワークを介して、前記第２の端末装置と通信を行い、該第１の端末装置が受信側として前記第１のネットワークを使用するための所定の手続を行い、前記第２の端末装置は、前記第１の端末装置が前記第１のネットワークを介してパケットを受信するために、該第１のネットワークに送出すべき情報を、前記第１の端末装置の代わりに該第１のネットワークに送信し、前記第１の端末装置は、前記第１のネットワークを介して前記第２の端末装置から送信されたパケットを受信することを特徴とする。
【００１０】
好ましくは、前記第２の端末装置は、前記第１の端末装置から通知された、該第１の端末装置に対して送信側となる装置が、前記第１のネットワークを介したパケットの送受信が可能な他の端末装置（例えば、５ＧＨｚ帯無線ＬＡＮについては送受信機能を有する無線端末）である場合に、該他の端末装置に対し、該第１のネットワークを介して、前記他の端末装置が前記第１の端末装置宛のパケットを送信するために必要な情報を送信するようにしてもよい。
【００１１】
なお、上記他の無線端末から第１のネットワークを介して第１の無線端末に、パケットを直接転送する方法と、他の無線端末からのパケットを第２の無線端末が一旦受信して、第１の無線端末に中継する方法とが可能である。
【００１２】
好ましくは、前記第２の端末装置は、前記第１の端末装置から通知された、該第１の端末装置に対して送信側となる装置が、前記第１及び第２のネットワークとは異なる第３のネットワーク（例えば、ＩＥＥＥ１３９４バス）上の他の装置（例えば、ＴＶ装置、ＤＶＤ装置等）である場合に、該他の装置に対し、該第３ネットワークを介して、該第２の端末装置宛のパケットを送出すべき旨の情報を送信し、前記他の装置は、前記第３のネットワークを介して前記第２の端末装置にパケットを送信し、前記第２の端末装置は、前記第３のネットワークを介して前記他の装置から受信したパケットを前記第１のネットワークを介して前記第１の端末装置宛に送信するようにしてもよい。
【００１３】
本発明（請求項４）は、第１のネットワーク（例えば、５ＧＨｚ帯無線ＬＡＮ）を介したパケットの受信、及び第２のネットワーク（例えば、２．４ＧＨｚ帯無線ＬＡＮ）を介したパケットの送受信が可能な第１の端末装置（例えば、５ＧＨｚ帯無線ＬＡＮについては受信機能のみを有する無線端末）と、前記第１のネットワークを介したパケットの送信及び第３のネットワーク（例えば、ＩＥＥＥ１３９４バス）を介したパケットの送受信が可能な第２の端末装置（例えば、５ＧＨｚ帯無線ＬＡＮについてはＰｏｉｎｔ  Ｃｏｒｄｉｎａｔｏｒ機能を提供する無線端末）と、前記第２のネットワークを介したパケットの送受信、及び前記第３のネットワークを介したパケットの送受信が可能な第３の端末装置（例えば、２．４ＧＨｚ帯無線ＬＡＮについてはＰｏｉｎｔ  Ｃｏｒｄｉｎａｔｏｒ機能を提供する無線端末）と、前記第３のネットワークを介したパケットの送受信が可能な第４の装置（例えば、ＴＶ装置、ＤＶＤ装置等）とを含む通信システムにおいて、前記第１の端末装置は、前記第２のネットワークを介して前記第３の端末装置と通信を行い、該第１の端末装置が受信側として前記第１のネットワークを使用するための所定の手続を行い、前記第３の端末装置は、前記第３のネットワークを介して前記第２の端末装置と通信を行い、該第１の端末装置が受信側として前記第１のネットワークを使用するための所定の手続を行い、前記第３の端末装置は、前記第３及び前記第１のネットワークを介して、前記第４の装置から前記第１の端末装置へのパケットの転送を前記第２の端末装置に中継させるための所定の手続を行い、前記第１の端末装置は、前記第４の装置宛のパケット送信要求を前記第２のネットワークを介して前記第３の端末装置に送信し、前記第３の端末装置は、受信した前記パケット送信要求を前記第３のネットワークを介して前記第４の装置に送信し、前記第４の装置は、受信した前記パケット送信要求に応答して、前記第３のネットワークを介して前記第２の端末装置にパケットを送信し、前記第２の端末装置は、受信した前記パケットを前記第１のネットワークを介して前記第１の端末装置に送信することを特徴とする。
【００１４】
本発明（請求項５）に係る端末装置（例えば、５ＧＨｚ帯無線ＬＡＮについてはＰｏｉｎｔ  Ｃｏｒｄｉｎａｔｏｒ機能を提供する無線端末）は、第１のネットワーク（例えば、５ＧＨｚ帯無線ＬＡＮ）を介して少なくともパケット送信を行う第１のインターフェース手段と、第２のネットワーク（例えば、２．４ＧＨｚ帯無線ＬＡＮ）へのパケット送受信を行う第２のインターフェース手段と、前記第２のインターフェース手段を介して通信可能な第１の端末（例えば、５ＧＨｚ帯無線ＬＡＮについては受信機能のみを有する無線端末）から、該第１の端末の有する、前記第１のネットワークからのパケット受信を行うインタフェース手段のインタフェースアドレス（例えば、図７のＹ２）を、該第１のインタフェースを介して受信するインタフェースアドレス受信手段と、前記インタフェースアドレス受信手段により受信した前記インタフェースアドレスに対して、前記第１のインターフェース手段を介して所定のパケットを送信するパケット送信手段とを具備したことを特徴とする。
【００１５】
好ましくは、前記第１の端末からの前記第１のネットワークにおける認証要求およびまたは前記第１の端末からの前記第１のネットワークへの加入要求を、前記第２のインタフェース手段を介して受信する要求受信手段と、前記認証要求およびまたは加入要求に基づいて、前記第１の端末の前記第１のネットワークにおける認証処理およびまたは加入処理を、前記第１のインタフェースを介して実行する要求処理手段とをさらに具備するようにしてもよい。
【００１６】
好ましくは、前記第１の端末からの前記第１のネットワークへのパケット送信要求を、前記第２のインタフェース手段を介して受信するパケット要求受信手段をさらに具備し、前記パケット送信手段は、前記第１のネットワークへのパケット送信要求に基づいて、前記第１の端末へのパケットを前記第１のインタフェース手段を介して送信するようにしてもよい。
【００１７】
好ましくは、前記第１の端末からの前記第１のネットワークへのパケット送信要求内に記載されたパケット送信元端末のアドレスが自端末のアドレスでない場合、該パケット送信元端末から自端末へのパケット送信要求を、前記第１のネットワークに送出するパケット送信要求変換送信手段と、前記パケット送信要求変換送信手段により送信された、前記パケット送信元端末から自端末へのパケット送信要求情報に基づいて前記第１のネットワークを介して転送されてきたパケットを受信するパケット受信手段と、前記パケット受信手段により受信されたパケットを、前記第１のインタフェース手段を介して前記第１の端末に転送するパケット転送手段とをさらに具備するようにしてもよい。
【００１８】
好ましくは、前記第１の端末からの前記第１のネットワークへのリソース獲得要求を、前記第２のインタフェース手段を介して受信するリソース獲得要求受信手段と、前記第１のネットワークへのリソース獲得要求に基づいて、前記第１のネットワーク上でのリソース獲得処理を実行するリソース獲得手段とをさらに具備するようにしてもよい。
【００１９】
好ましくは、前記第１の端末から前記第２のインタフェース手段を介して受信したパケット内に、前記第１のネットワークに関する制御情報が含まれているか否かを識別するパケット種別識別手段と、前記パケット種別識別手段により、前記パケット内に前記第１のネットワークに関する制御情報が含まれていると判断された場合には、該制御情報に対応する処理を、前記第１のネットワークに対して実行する制御機能実行手段とをさらに具備するようにしてもよい。
【００２０】
好ましくは、前記第１のネットワーク上に存在する端末の有する、前記第１のネットワークからのパケット受信を行うインタフェース手段のインタフェースアドレス（例えば、図７のＹ２）と、前記第２のネットワークへのパケット送受信を行うインタフェース手段の有するインタフェースアドレス（例えば、図７のＹ１）との間の対応関係を記憶するためのインタフェースアドレス対応関係記憶手段と、前記第１の端末から前記第２のインタフェース手段を介して受信したパケット内に記載されているパケット送信元端末のインタフェースアドレスが、前記インタフェースアドレス対応関係記憶手段に記憶されている、前記第１のネットワークからのパケット受信を行うインタフェース手段の有するインタフェースアドレスと一致するか否かに従って、該受信したパケット内に、前記第１のネットワークに関する制御情報が含まれているか否かを識別するパケット種別識別手段と、前記パケット種別識別手段により、前記パケット内に前記第１のネットワークに関する制御情報が含まれていると判断された場合には、該制御情報に対応する処理を、前記第１のネットワークに対して実行する制御機能実行手段とをさらに具備するようにしてもよい。
【００２１】
好ましくは、前記パケット送信手段により送出されたパケットを前記第１の端末が受信した場合に送出すべき受信確認応答用のパケットを、該第１の端末の代わりに送出する受信確認応答パケット送出手段をさらに具備するようにしてもよい。
【００２２】
好ましくは、前記第１のネットワーク上に存在する端末の有する、前記第１のネットワークからのパケット受信を行うインタフェース手段のインタフェースアドレス（例えば、図７のＹ２）と、前記第２のネットワークへのパケット送受信を行うインタフェース手段の有するインタフェースアドレス（例えば、図７のＹ１）との間の対応関係を記憶するためのインタフェースアドレス対応関係記憶手段と、前記インタフェースアドレス対応関係記憶手段に記憶されている情報に基いて、前記受信確認応答パケット送出手段による前記受信確認応答パケットの送出を実行するか否かを決定する受信確認応答パケット送出制御手段とをさらに具備するようにしてもよい。
【００２３】
好ましくは、前記第１の端末の有する、前記第１のネットワークからのパケット受信を行うインタフェース手段のインタフェースアドレス（例えば、図７のＹ２）と、前記第２のネットワークへのパケット送受信を行うインタフェース手段の有するインタフェースアドレス（例えば、図７のＹ１）との間の対応関係を記憶するインタフェースアドレス対応関係記憶手段をさらに具備するようにしてもよい。
【００２４】
好ましくは、第３のネットワーク（例えば、ＩＥＥＥ１３９４バス）へのパケット送受信を行う第３のインタフェース手段と、前記第２のインターフェース手段を介して前記第１の端末から受信した所定の制御情報に基づいて、前記第１のインタフェースと前記第３のインタフェースとの間でのパケット転送経路を自端末内部において設定する内部経路設定手段とをさらに具備するようにしてもよい。
【００２５】
好ましくは、前記第３のインタフェース手段から受信したパケットを前記第１のインタフェース手段に中継するかまたは前記第２のインタフェース手段に中継するかについて、前記内部経路設定手段による前記自端末内部のパケット転送経路が設定されているか否かに従って判定する手段をさらに具備するようにしてもよい。
【００２６】
本発明（請求項１７）は、第１のネットワーク（例えば、５ＧＨｚ帯無線ＬＡＮ）によるパケット受信および第２のネットワーク（例えば、２．４ＧＨｚ帯無線ＬＡＮ）によるパケット送受信が可能な第１の端末（例えば、５ＧＨｚ帯無線ＬＡＮについては受信機能のみを有する無線端末）に対して、該第２のネットワークにより該第１の端末と通信可能で且つ第３のネットワーク（例えば、ＩＥＥＥ１３９４バス）にも接続された他の端末（例えば、２．４ＧＨｚ帯無線ＬＡＮについてはＰｏｉｎｔ  Ｃｏｒｄｉｎａｔｏｒ機能を提供する無線端末）から転送される制御情報に基づいて、該第１のネットワークを介したデータ転送を行う端末装置（例えば、５ＧＨｚ帯無線ＬＡＮについてはＰｏｉｎｔ  Ｃｏｒｄｉｎａｔｏｒ機能を提供する無線端末）であって、前記第１のネットワークを介して少なくともパケット送信を行う第１のインターフェース手段と、前記第３のネットワークへのパケット送受信を行う第３のインターフェース手段と、前記第１の端末に、前記第１のインターフェース手段を介して、前記第３のインタフェース手段のインタフェースアドレスを通知するアドレス通知手段とを具備したことを特徴とする。
【００２７】
好ましくは、前記アドレス通知手段は、前記第１のインターフェース手段を介して、前記第３のインタフェース手段のインタフェースアドレスをブロードキャストするブロードキャスト通知手段を含むようにしてもよい。
【００２８】
本発明（請求項１９）は、第１のネットワーク（例えば、５ＧＨｚ帯無線ＬＡＮ）によるパケット受信および第２のネットワーク（例えば、２．４ＧＨｚ帯無線ＬＡＮ）によるパケット送受信が可能な第１の端末（例えば、５ＧＨｚ帯無線ＬＡＮについては受信機能のみを有する無線端末）が、該第１のネットワークによるパケット送信が可能で且つ第３のネットワーク（例えば、ＩＥＥＥ１３９４バス）にも接続された第２の端末（例えば、５ＧＨｚ帯無線ＬＡＮについてはＰｏｉｎｔ  Ｃｏｒｄｉｎａｔｏｒ機能を提供する無線端末）からの、該第１のネットワークを介したデータ転送を受けることができるように制御を行う端末装置（例えば、２．４ＧＨｚ帯無線ＬＡＮについてはＰｏｉｎｔ  Ｃｏｒｄｉｎａｔｏｒ機能を提供する無線端末）であって、前記第２のネットワークへのパケット送受信を行う第２のインターフェース手段と、前記第３のネットワークへのパケット送受信を行う第３のインターフェース手段と、前記第１の端末から、前記第２の端末の有する前記第３のネットワークに対応するインターフェース手段のインタフェースアドレスを、前記第２のインタフェース手段を介して受信するインタフェースアドレス受信手段と、前記インタフェースアドレス受信手段により受信した前記インタフェースアドレスが、前記第３のネットワーク上に存在するか否かを確認するアドレス確認手段と、前記アドレス確認手段によって確認した結果を、前記第２のインタフェース手段を介して、前記第１の端末に対して応答する確認結果応答手段とを具備したことを特徴とする。
【００２９】
好ましくは、前記アドレス確認手段によって確認された前記インタフェースアドレス情報の明示してあるパケットを、前記第２のインタフェース手段を介して受信した際に、該パケットを前記第３のインタフェース手段を介して該インタフェースアドレスに対して転送するパケット転送手段をさらに具備するようにしてもよい。
【００３０】
本発明（請求項２１）に係る端末装置（例えば、５ＧＨｚ帯無線ＬＡＮについては受信機能のみを有する無線端末）は、第１のネットワーク（例えば、５ＧＨｚ帯無線ＬＡＮ）を介して少なくともパケット受信を行う第１のインターフェース手段と、第２のネットワーク（例えば、２．４ＧＨｚ帯無線ＬＡＮ）へのパケット送受信を行う第２のインターフェース手段と、前記第１のインターフェース手段によって用いるインタフェースアドレスと、前記第２のインターフェース手段によって用いるインタフェースアドレスとを、同一に設定する手段とを具備したことを特徴とする。
【００３１】
本発明（請求項１５）に係る端末装置（例えば、５ＧＨｚ帯無線ＬＡＮについては受信機能のみを有する無線端末）は、第１のネットワーク（例えば、５ＧＨｚ帯無線ＬＡＮ）を介して少なくともパケット受信を行う第１のインターフェース手段と、第２のネットワーク（例えば、２．４ＧＨｚ帯無線ＬＡＮ）へのパケット送受信を行う第２のインターフェース手段と、前記第２のインターフェース手段を介して通信可能な所定の端末（例えば、２．４ＧＨｚ帯無線ＬＡＮについてはＰｏｉｎｔ  Ｃｏｒｄｉｎａｔｏｒ機能を提供する無線端末）に対して、前記第１のインターフェース手段によって用いるインタフェースアドレスを、前記第２のインターフェース手段を介して通知するインタフェースアドレス通知手段とを具備したことを特徴とする。
【００３２】
好ましくは、前記第１のネットワークにおける認証処理要求およびまたは加入処理要求を、前記第２のインタフェース手段を介して送出する手段と、前記第１のネットワークにおける認証処理およびまたは加入処理要求に必要な所定の情報を、前記第１のインタフェースを介して通知し合う手段とをさらに具備するようにしてもよい。
【００３３】
好ましくは、前記第２のインタフェース手段を介して送信するパケット内に前記第１のネットワークに関する制御情報が搭載されている旨を明示する情報を、該パケット内に記載するパケット種別通知手段をさらに具備するようにしてもよい。
【００３４】
好ましくは、前記第１のインタフェース手段を介してパケットを送信する所定の端末（例えば、５ＧＨｚ帯無線ＬＡＮについてはＰｏｉｎｔ  Ｃｏｒｄｉｎａｔｏｒ機能を提供する無線端末）の有する、前記第１および第２のネットワークとは異なる第３のネットワーク（例えば、ＩＥＥＥ１３９４バス）へのパケット送受信を行うインタフェース手段の有する外部インタフェースアドレスを受信する外部インタフェースアドレス受信手段をさらに具備するようにしてもよい。
【００３５】
好ましくは、前記外部インタフェースアドレス受信手段によって受信した、前記所定の端末の有する外部インタフェースアドレスを、前記第２のインタフェース手段を介して前記第２のネットワーク上に存在する他の端末（例えば、２．４ＧＨｚ帯無線ＬＡＮについてはＰｏｉｎｔ  Ｃｏｒｄｉｎａｔｏｒ機能を提供する無線端末）に対して通知する外部インタフェースアドレス通知手段をさらに具備するようにしてもよい。
【００３６】
好ましくは、前記第２のインタフェース手段を介して送信するパケット内に搭載されている情報に対応する前記外部インタフェースアドレスを明示する情報を、該パケット内に記載するパケット対応インタフェース種別通知手段をさらに具備するようにしてもよい。
【００３７】
本発明によれば、少なくとも第１のネットワークと第２のネットワークが併用されているネットワーク（例えば、５ＧＨｚ帯無線ＬＡＮと２．４ＧＨｚ帯無線ＬＡＮが併用されているホームネットワーク）において、第２のネットワークではパケット送受信が可能であるが第１のネットワークではパケット受信だけ可能であるような端末装置（例えば、無線端末）が、第１のネットワークでデータを受信するために必要な手続を第２のネットワークを利用して行うことができ、これによって、該端末装置は、第１のネットワークからパケットを送信することなくして、第１のネットワークをパケット受信ノードとして有効に利用することができる。
【００３８】
したがって、本発明によれば、例えば、２．４ＧＨｚ帯無線の送受信インタフェースと５ＧＨｚ帯無線の受信インタフェースを有する無線端末に対して、５ＧＨｚ帯無線ネットワーク上の他の無線端末から情報を転送することができる。また、５ＧＨｚ帯無線の受信インタフェースを有する他の無線端末が中継をすることによって、他のネットワーク、例えばＩＥＥＥ１３９４バス上を転送されている各種の情報を送信することができ、あたかも、無線インタフェースによってＩＥＥＥ１３９４バスに接続したかのようにデータ通信を実行できるようになる。
すなわち、無線端末が５ＧＨｚ帯無線の受信機能しか持たないような場合でも、５ＧＨｚ帯無線における認証／加入処理や、ＩＥＥＥ１３９４バス上のノードとの間でのＡＶ制御のプロトコルに関しては２．４ＧＨｚ帯無線を用いて実行し、実際のデータ転送のみを５ＧＨｚ帯無線を用いて実行することによって、ＩＥＥＥ１３９４バス上の動画像データを５ＧＨｚ帯無線インタフェースを介して受信できるようになる。
【００３９】
このように、本発明によれば、例えば、５ＧＨｚ帯のような高価な部品を用いる無線端末の低価格化を実現することができる。特に、無線機能の中の受信機能のみを端末に持たせ、双方向通信に関しては安価な無線システムを用いることによって、端末に必要となる高価な無線部品の数を削減し、それによってコスト低下を実現することができる。
すなわち、家庭内での映像情報の利用形態は、ビデオや衛星放送から送られてくる映像を受信／表示して観賞する場合がほとんどである。これは、ユーザが映像情報を受信することはあっても、送信することはまれであることを意味している。この観点から、５ＧＨｚ帯無線機能を低コストで家庭に普及させる場合には、その受信機能のみを端末側に持たせる方法が有効である。よって、５ＧＨｚ帯のような高価な無線機能は受信機能のみを持ち、他の安価な無線手段によって送信機能を提供することで、広帯域の画像データも受信でき、家庭に受け入れられ易い無線端末が提供可能となる。
【００４０】
なお、装置に係る本発明は方法に係る発明としても成立し、方法に係る本発明は装置に係る発明としても成立する。
【００４１】
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムを記録したコンピュータ読取り可能な記録媒体としても成立する。
【００４２】
【発明の実施の形態】
以下、図面を参照しながら発明の実施の形態を説明する。
【００４３】
以下の第１〜第４の実施形態では、家庭内に存在するホームネットワークにおいて、第１のネットワークとして、より高速（ここでは５ＧＨｚ帯とする）の無線ＬＡＮと、第２のネットワークとして、より低速（ここでは２．４ＧＨｚ帯とする）の無線ＬＡＮとを併用し、より高速の無線ＬＡＮ上に単方向のダウンリンクを定義可能な無線システムを例にとって説明する。また、第３、第４の実施形態では、さらに、第３のネットワークとして、ＩＥＥＥ１３９４バスを一緒に運用可能とした場合について説明する。
【００４４】
（第１の実施形態）
本実施形態では、５ＧＨｚ帯無線ＬＡＮについては受信機能のみを有する（もしくは５ＧＨｚ帯無線ＬＡＮからの受信機能のみを使用可能な）無線端末が、当該５ＧＨｚ帯無線ＬＡＮへの処理（例えば、認証／加入処理等）を、２．４ＧＨｚ帯無線ＬＡＮを介して実行する方式について説明する。
【００４５】
図１に、５ＧＨｚ帯を用いた無線ＬＡＮと２．４ＧＨｚ帯を用いた無線ＬＡＮを併用するネットワークシステムの構成例を示す。これらの無線ＬＡＮはいずれもＩＥＥＥ８０２．１１のプロトコルに従って運用されているが、各々の無線ＬＡＮは異なる無線周波数で運用されているので、無線ＬＡＮ間での干渉は生じない。
【００４６】
図１には、５ＧＨｚ帯無線ＬＡＮ（図中、１２１）におけるＰ．Ｃ．（Ｐｏｉｎｔ  Ｃｏｒｄｉｎａｔｏｒ）機能を提供する無線端末１０１と、５ＧＨｚ帯無線ＬＡＮへの送受信機能を有する無線端末１０３と、５ＧＨｚ帯無線ＬＡＮからの受信機能のみを有する無線端末１０２が存在する。また、無線端末１０１と無線端末１０２は、２．４ＧＨｚ帯無線ＬＡＮへの送受信機能も有し、これによって通信可能である。
【００４７】
なお、以下では、無線端末１０１と無線端末１０２とが、２．４ＧＨｚ帯の無線ＬＡＮ上のＭＡＣアドレスと５ＧＨｚ帯の無線ＬＡＮ上でのＭＡＣアドレスを、各々別々に有する場合について述べるが、この２．４ＧＨｚ帯の無線ＬＡＮ上のＭＡＣアドレスと５ＧＨｚ帯の無線ＬＡＮ上でのＭＡＣアドレスに、同じＭＡＣアドレスを用いることも可能である。以下では、各々の無線ＬＡＮ上でのＭＡＣアドレスは、無線端末１０１の有する２．４ＧＨｚ帯無線ＬＡＮ上でのアドレスが“Ｘ１”、５ＧＨｚ帯無線ＬＡＮ上でのアドレスが“Ｘ２”、無線端末１０２の有する２．４ＧＨｚ帯無線ＬＡＮ上でのアドレスが“Ｙ１”、５ＧＨｚ帯無線ＬＡＮ上でのアドレスが“Ｙ２”、無線端末１０３の有する５ＧＨｚ帯無線ＬＡＮ上でのアドレスが“Ｚ”であるものとする。
【００４８】
ＩＥＥＥ８０２．１１のプロトコルによれば、ある無線端末が所望の無線端末と通信を行なう際には、その無線端末間での通信に先だって、無線端末同士の認証処理が実行されることになっている。また、無線端末が所望の無線ＬＡＮに接続する際には、その接続のための処理として、無線端末と無線ＬＡＮのＰ．Ｃ．（図１の場合、無線端末１０１）との間で無線ＬＡＮへの加入処理が実行されることになっている。ここで、図１の構成では無線端末１０２が５ＧＨｚ帯無線ＬＡＮの受信機能のみしか持たないため、他の無線端末（例えば、無線端末１０１や無線端末１０２）との通信を行なう際の認証／加入処理を５ＧＨｚ帯の無線周波数を用いては実行できないことになる。
【００４９】
本実施形態においては、５ＧＨｚ帯無線ＬＡＮからの受信機能のみを有する無線端末１０２が、５ＧＨｚ帯無線ＬＡＮへの認証／加入処理を、２．４ＧＨｚ帯無線ＬＡＮを介して実行する方式について説明する。
【００５０】
ＩＥＥＥ８０２．１１上での認証処理を行なうためには、自端末で処理可能な認証アルゴリズムを通知し合うと共に、自端末のＭＡＣアドレスも通知しなければならない。このため、本実施形態のように５ＧＨｚ帯無線ＬＡＮからの受信機能しか持たない無線端末１０２が、他の無線端末と５ＧＨｚ帯無線ＬＡＮにおける認証処理を実行するためには、認証処理のために必要な情報（実行可能な認証アルゴリズムの種類とＭＡＣアドレス）を、別の経路を用いて通知する必要がある。図１中では、これに２．４ＧＨｚ帯無線ＬＡＮを用いる場合を想定している。また、無線端末１０２が５ＧＨｚ帯無線ＬＡＮのＰ．Ｃ．である無線端末１０１に加入する際にも、無線端末１０２は無線端末１０１に対して、自端末のＭＡＣアドレスを通知する必要があるが、図１中では、これも２．４ＧＨｚ帯無線ＬＡＮを用いて実行する場合を想定している。
【００５１】
このときの、無線端末１０１〜１０３間での認証／加入処理がどのように実行されているのかを表すプロトコルスタックを図２に示す。図２では、５ＧＨｚ帯無線ＬＡＮへの認証／加入処理を「５Ｇ制御」、２．４ＧＨｚ帯無線ＬＡＮへの認証／加入処理を「２．４Ｇ制御」として記している。図２からわかるように、本実施形態においては、５ＧＨｚ帯無線ＬＡＮのＰ．Ｃ．である無線端末１０１において、無線端末１０２の５ＧＨｚ帯無線ＬＡＮにおける認証／加入処理を、２．４ＧＨｚ帯無線ＬＡＮを介して実行するようになっている。これに対し、５ＧＨｚ帯無線ＬＡＮへの送受信機能を有する無線端末１０３との間では、５ＧＨｚ帯無線ＬＡＮにおける認証／加入処理を、５ＧＨｚ帯無線ＬＡＮを介して実行している。
【００５２】
また、無線端末１０１と無線端末１０２との間や、無線端末１０１と無線端末１０３との間での実際のデータ転送をどのように行なっているのかを表すプロトコルスタックを図３に示す。図３からわかるように、実際のデータについては５ＧＨｚ帯無線ＬＡＮを介して転送されているが、無線端末１０２に対しては、無線端末１０１から無線端末１０２に向かうデータのみが転送されることになる。
【００５３】
このような２．４ＧＨｚ帯の無線ＬＡＮを介して５ＧＨｚ帯の無線ＬＡＮ上での認証／加入処理を実行し、実際のデータに関しては５ＧＨｚ帯の無線ＬＡＮを介して転送するような場合には、その２．４ＧＨｚ帯の無線ＬＡＮ上におけるパケット識別方法が問題となる。つまり、無線端末１０１において、２．４ＧＨｚ帯の無線ＬＡＮへのインタフェースで受信したパケットの中の「どのパケット」に「５ＧＨｚ帯の無線ＬＡＮの制御情報」が乗せられているのかを、「どのレイヤ」において識別するかという問題である。
【００５４】
このようなパケット識別の具体的な処理と実際のデータ転送処理の実行方法の２つの例を図４と図５に示す。
【００５５】
図４と図５においては、２．４ＧＨｚ帯の無線ＬＡＮと５ＧＨｚ帯の無線ＬＡＮの物理レイヤ／ＭＡＣレイヤ（図中、２．４Ｇ−ＭＡＣ／２．４Ｇ−ＰＨＹ、５Ｇ−ＭＡＣ／５Ｇ−ＰＨＹ）とともに、各ＭＡＣレイヤ上で動作するドライバ群を示している。なお、認証／加入やデータ転送要求などの制御系のドライバ（図中、制御系Ｄｒｉｖ．）と、実際のデータ転送のためのドライバ（図中、データ係Ｄｒｉｖ．）とを区別している。また、各ドライバを用いて実行されるアプリケーションとして、通常の２．４ＧＨｚ帯の無線ＬＡＮ上で実行されるアプリケーションを「２．４Ｇアプリ（ケーション）」、通常の５ＧＨｚ帯の無線ＬＡＮ上で実行されるアプリケーションを「５Ｇアプリ（ケーション）」、２．４ＧＨｚ帯の無線ＬＡＮを介して制御情報を交換して、実際のデータ転送は５ＧＨｚ帯の無線ＬＡＮ上で実行するようなアプリケーションを「ＡＷＬ（Ａｓｙｎｍｅｔｒｉｃ  Ｗｉｒｅｌｅｓｓ  Ｌｉｎｋ）アプリ（ケーション）」として表している。また、図４と図５において、点線は、通常の２．４ＧＨｚ帯の無線ＬＡＮ上でのアプリケーションを実行する場合のパケット転送経路を示しており、破線は、通常の５ＧＨｚ帯の無線ＬＡＮ上でのアプリケーションを実行する場合のパケット転送経路を示しており、実線は、ＡＷＬアプリケーションを実行する場合のパケット転送経路を示している。図４、図５ともに、無線端末１０３は通常の５ＧＨｚ帯の無線ＬＡＮ上の端末であるので、無線端末１０１と無線端末１０３との間では、通常の５ＧＨｚ帯の無線ＬＡＮのプロトコル（ＩＥＥＥ８０２．１１）に則った処理が実行されている。
【００５６】
以下では、無線端末１０１と無線端末１０２との間でＡＷＬアプリケーションを実行する場合での制御系のパケット転送とデータ系のパケット転送おける具体的な処理方法について説明する。
【００５７】
最初に、図４の構成例について説明する。
【００５８】
まず、無線端末１０１においてＡＷＬアプリケーションを実行する場合の処理について説明する。
【００５９】
無線端末１０１は、２．４ＧＨｚ帯の無線ＬＡＮの物理レイヤ処理部（図４中の２．４Ｇ−ＰＨＹ）によってパケットを受信した後に、その上位のＭＡＣレイヤ処理部（図４中の２．４Ｇ−ＭＡＣ）において、受信したパケットが２．４ＧＨｚ帯の無線ＬＡＮ上のアプリケーションに対応するものか、それともＡＷＬアプリケーションに対応しているものかを識別する「パケット振分け処理」を実行する（このため、ＭＡＣレイヤ処理部内にパケット振分け処理部が存在する）。このように、ＭＡＣレイヤにおいてパケット識別をするためには、ＩＥＥＥ８０２．１１のＭＡＣレイヤ処理用のパケットとして定義されている、ＭＰＤＵ（ＭＡＣ  Ｐｒｏｔｏｃｏｌ  Ｄａｔａ  Ｕｎｉｔ）内に、そのパケットがＡＷＬアプリケーションに対応する情報を乗せている旨を識別するためのフラグを定義する必要がある。このようなフラグの有無を識別することによって、その２．４ＧＨｚ帯の無線ＬＡＮへのＭＡＣレイヤ処理部において、受信したパケットをＡＷＬアプリケーションの制御系ドライバに転送するか、通常の２．４Ｇアプリの制御系ドライバに転送するのかを判断する。
【００６０】
また、無線端末１０１上のＡＷＬアプリケーションから無線端末１０２に向けて送出されるデータは、そのデータ系ドライバを介して５ＧＨｚ帯の無線ＬＡＮのＭＡＣレイヤ処理部（図４中の５Ｇ−ＭＡＣ）内の「パケット振分け処理部」に転送される。ここで、そのデータパケットがＡＷＬアプリケーションから送出されたものである旨を、ＭＰＤＵ上のフラグによって示した後、無線端末１０１から無線端末１０２への片方向のダウンリンクによるパケット送出アルゴリズムに従って、パケット送出処理が実行される。ここで、無線端末１０１から無線端末１０２への片方向のパケット転送処理が、通常の５ＧＨｚ帯の無線ＬＡＮ上のＭＡＣアルゴリズムを変更することなく実行できる場合には、５ＧＨｚ帯の無線ＬＡＮへのＭＡＣレイヤ処理部内の「パケット振分け処理部」は不要である。
【００６１】
次に、無線端末１０２においてＡＷＬアプリケーションを実行する場合の処理について説明する。
【００６２】
無線端末１０２が自端末上でＡＷＬアプリケーションを実行する場合は、そのために必要な制御系処理を２．４ＧＨｚ帯の無線ＬＡＮ上で実行する。このため、ＡＷＬアプリケーションから送出された制御系情報を運ぶパケットは、その制御系ドライバを介して、２．４ＧＨｚ帯の無線ＬＡＮのＭＡＣレイヤ処理（図４中の２．４Ｇ−ＭＡＣ）内の「パケット振分け処理部」に転送される。ここで、そのパケットがＡＷＬアプリケーションを実行するための制御系パケットである旨を、ＭＰＤＵ上のフラグによって示した後、２．４ＧＨｚ帯の無線ＬＡＮのＭＡＣレイヤ処理／物理レイヤ処理を介して無線端末１０１に転送される。
【００６３】
また、無線端末１０２は、５ＧＨｚ帯の無線ＬＡＮからの受信機能（図４中の５Ｇ−ＰＨＹ（Ｒ）や５Ｇ−ＭＡＣ（Ｒ））のみを有し、これを介してＡＷＬアプリケーションのみを実行可能である。そして、この５ＧＨｚ帯の無線ＬＡＮからは、ＡＷＬアプリケーションのデータ系パケットのみを受信することになる。よって、無線端末１０２の５ＧＨｚ帯の無線ＬＡＮへのインタフェースから受信したパケットは、全てＡＷＬアプリケーションに転送することになるので、５ＧＨｚ帯の無線ＬＡＮのＭＡＣレイヤ処理部からのパケットは、全てＡＷＬアプリケーションのデータ系ドライバに転送されるようになっており、無線端末１０１のような「パケット振分け処理」は不要である。
【００６４】
ここで上記のように、無線端末１０２は５ＧＨｚ帯の無線ＬＡＮからのパケット受信処理のみを実行するので、無線端末１０２の２．４ＧＨｚ帯の無線ＬＡＮ上でのＭＡＣアドレスと５ＧＨｚ帯の無線ＬＡＮ上でのＭＡＣアドレスに、同じＭＡＣアドレスを用いたとしても、無線端末１０１と無線端末１０２との間でのＡＷＬアプリケーションの実行が可能となる。この場合は、無線端末１０１の「パケット振分け処理部」において、無線端末１０２の５ＧＨｚ帯の無線ＬＡＮ上でのＭＡＣアドレスと２．４ＧＨｚ帯の無線ＬＡＮ上でのＭＡＣアドレスが同じであることを認識しておく必要がある。
【００６５】
続いて、図５の構成例について説明する。
【００６６】
まず、無線端末１０１においてＡＷＬアプリケーションを実行する場合の処理について説明する。
【００６７】
図５では、図４の場合とは異なり、無線端末１０１や無線端末１０２内の各無線ＬＡＮへのＭＡＣレイヤ処理については新規の機能を追加することはせず、その上位のドライバレベルで、受信したパケットが２．４ＧＨｚ帯や５ＧＨｚ帯の無線ＬＡＮ上のアプリケーションによるものか、ＡＷＬアプリケーションによるものかを識別する。
【００６８】
まず、無線端末１０１は、２．４ＧＨｚ帯の無線ＬＡＮの物理レイヤ処理部（図５中の２．４Ｇ−ＰＨＹ）とＭＡＣレイヤ処理部（図５中の２．４Ｇ−ＭＡＣ）によって受信したパケットを、対応する制御系のドライバに転送する。ここでは、ＭＡＣレイヤ処理部から受けとったパケットのＭＰＤヘッダを取り除いて、内部データの情報をチェックする。このときの内部データの情報の一つとして、パケットがＡＷＬアプリケーションに対応する情報を乗せている旨を識別するためのフィールドを定義しておき、ここで、受信したパケットがＡＷＬアプリケーションに対応するものであるかどうかを判断する。このようなパケット識別処理を行なうのが、図５においては、各ドライバの上位のドライバとして定義されている「ＡＷＬドライバ（図中、ＡＷＬ−Ｄｒｉｖ．）」である。
【００６９】
また、無線端末１０１上のＡＷＬアプリケーションから無線端末１０２に向けて送出されるデータは、そのデータを乗せているパケットをＡＷＬドライバに転送して、そこで、そのパケットがＡＷＬアプリケーションに対応するパケットである旨の情報を付加され、下位のデータ系ドライバに転送される。そして、このような情報を付加されたパケットが、５ＧＨｚ帯の無線ＬＡＮのＭＡＣレイヤ／物理レイヤ処理部を介して、片方向のダウンリンクを通って無線端末１０２に転送されることになる。ここで、図５では、無線端末１０１から無線端末１０２への片方向のパケット転送処理が、通常の５ＧＨｚ帯の無線ＬＡＮ上でのＭＡＣアルゴリズムを変更することなく実行できる場合を想定しているが、もし、片方向のパケット転送処理のための処理が必要な場合には、そのための処理を実行する機能が、５ＧＨｚ帯の無線ＬＡＮへのＭＡＣレイヤ処理部内に設けられることになる。
【００７０】
次に、無線端末１０２においてＡＷＬアプリケーションを実行する場合の処理について説明する。
【００７１】
無線端末１０２は、自端末上でＡＷＬアプリケーションを実行する場合には、そのために必要な制御系処理を２．４ＧＨｚ帯の無線ＬＡＮ上で実行する。このため、ＡＷＬアプリケーションから送出された制御系パケットは、一旦、ＡＷＬドライバ（図中、ＡＷＬ−Ｄｒｉｖ．）によって、そのパケットがＡＷＬアプリケーションに対応するものである旨を明示された後、その制御系ドライバや２．４ＧＨｚ帯の無線ＬＡＮのＭＡＣレイヤ処理／物理レイヤ処理部を介して無線端末１０１に転送される。
【００７２】
また、無線端末１０２は、５ＧＨｚ帯の無線ＬＡＮからの受信機能（図５中の５Ｇ−ＰＨＹ（Ｒ）や５Ｇ−ＭＡＣ（Ｒ））のみを有し、これを介してＡＷＬアプリケーションのみを実行可能である。そして、この５ＧＨｚ帯の無線ＬＡＮからは、ＡＷＬアプリケーションのデータ系パケットのみを受信することになっている。よって、ここでは、無線端末１０２の５ＧＨｚ帯の無線ＬＡＮへのインタフェースから受信したパケットは、全てＡＷＬアプリケーションに転送することになるので、５ＧＨｚ帯の無線ＬＡＮのＭＡＣレイヤ処理部からのパケットは、全てＡＷＬアプリケーションのデータ系ドライバに転送されるようになっている。
【００７３】
このような方式によって、無線端末１０１と無線端末１０２との間でのＡＷＬアプリケーションの実行が可能となるが、このような方式が運用される無線ネットワークにおいて、実際に無線端末１０１から無線端末１０２にデータを転送する際の処理シーケンスの一例を図６に示す。ここでは、無線ＬＡＮ上の転送プロトコルとしてＩＥＥＥ８０２．１１におけるＣｏｎｔｅｎｔｉｏｎ  Ｍｏｄｅでのデータ転送処理が行なわれているものとし、各無線端末からの一連のデータ転送処理に先だって、キャリアセンス処理が実行されているものとする。以下に、具体的な処理シーケンスを示す。
【００７４】
（０）無線端末１０２が、無線端末１０１と認証処理を実行し、２．４ＧＨｚ帯無線を用いて通信可能の状態になる。
【００７５】
（１）無線端末１０３が、無線端末１０１と認証処理を実行した後、無線端末１０１がＰ．Ｃ．となっている５ＧＨｚ帯無線ＬＡＮに加入する（５ＧＨｚ帯無線ＬＡＮ経由）。
【００７６】
（２）無線端末１０２が、２．４ＧＨｚ帯無線を介して、無線端末１０１と５ＧＨｚ帯無線での認証処理を実行した後、無線端末１０１がＰ．Ｃ．となっている５ＧＨｚ帯無線ＬＡＮに加入する。
なお、このとき、２．４ＧＨｚ帯の無線ＬＡＮを介して、無線端末１０２の５ＧＨｚ帯の無線ＬＡＮ上でのＭＡＣアドレス（＝Ｙ２）を無線端末１０１に通知する。これによって、無線端末１０１は、２．４ＧＨｚ帯の無線ＬＡＮ上のＭＡＣアドレス（＝Ｙ１）と、５ＧＨｚ帯の無線ＬＡＮ上でのＭＡＣアドレス（＝Ｙ２）が対応している旨を記憶する。
【００７７】
（３）無線端末１０２が、無線端末１０１から無線端末１０２に５ＧＨｚ帯無線ＬＡＮ経由でデータ転送する旨の要求を、２．４ＧＨｚ帯無線ＬＡＮ経由で無線端末１０１に送出する。
なお、無線端末１０２は、２．４ＧＨｚ帯無線ＬＡＮ上におけるＲＴＳ（Ｒｅｑｕｅｓｔ  ｔｏ  Ｓｅｎｄ）パケットを用いて５ＧＨｚ帯の無線ＬＡＮへのＲＴＳ要求を出してもよいし、２．４ＧＨｚ帯無線ＬＡＮ上に、５ＧＨｚ帯無線ＬＡＮにおける制御情報を転送するパケットを定義し、そのパケットを用いてＲＴＳ要求を出してもよい。
【００７８】
（４）無線端末１０１が、（３）の要求に基づいて、無線端末１０２の代わりに５ＧＨｚ帯無線ＬＡＮ上にＲＴＳパケットを送出し、メディアを予約する。
なお、無線端末１０１が、このＲＴＳパケットに対応するＣＴＳ（Ｃｌｅａｒｔｏ  Ｓｅｎｄ）パケットを５ＧＨｚ帯無線ＬＡＮ上に送出し、メディアを予約してもよい。
【００７９】
（５）無線端末１０１が、無線端末１０２に向けてパケットを送出する。
【００８０】
（６）無線端末１０１が、（５）の処理で送信されたパケットに対応するＡｃｋパケットを、無線端末１０２の代わりに５ＧＨｚ帯無線ＬＡＮ上に送出する。
【００８１】
なお、上記（４）から（５）までの一連のパケット送出間隔は、ＩＥＥＥ８０２．１１で規定されている最小のパケット送出間隔であるＳＩＦＳ間隔である。
【００８２】
（７）無線端末１０３が、５ＧＨｚ帯無線ＬＡＮ上にＲＴＳパケットを送出し、無線端末１０３から無線端末１０１へのデータ転送のためにメディアを予約する（このＲＴＳパケットの送出に先だって、キャリアセンス処理を実行）。
【００８３】
（８）無線端末１０１が、（７）のＲＴＳパケットに対応するＣＴＳパケットを５ＧＨｚ帯無線ＬＡＮ上に送出し、メディアを予約する。
【００８４】
（９）無線端末１０３が、無線端末１０１に向けてパケットを送出する。
【００８５】
（１０）無線端末１０１が、（９）の処理で送信されたパケットに対応するＡｃｋパケットを無線端末１０３に送出する。
【００８６】
なお、上記（７）から（１０）までの一連のパケット送出間隔も、ＩＥＥＥ８０２．１１で規定されている最小のパケット送出間隔であるＳＩＦＳ間隔である。
【００８７】
（１１）上記（７）から（１０）までの処理が実行されている期間中に、無線端末１０２が、５ＧＨｚ帯無線ＬＡＮ経由で無線端末１０１から無線端末１０２にデータ転送する旨の再要求を、２．４ＧＨｚ帯無線ＬＡＮ経由で無線端末１０１に送出する（（３）と同等の処理を行う）。
【００８８】
（１２）無線端末１０１が、（１１）の要求に基づいて、無線端末１０２の代わりに５ＧＨｚ帯無線ＬＡＮ上にＲＴＳパケットを送出し、メディアを予約する。
なお、無線端末１０１が、このＲＴＳパケットに対応するＣＴＳ（Ｃｌｅａｒｔｏ  Ｓｅｎｄ）パケットを５ＧＨｚ帯無線ＬＡＮ上に送出し、メディアを予約してもよい。
【００８９】
（１３）無線端末１０１が、無線端末１０２に向けてパケットを送出する。
【００９０】
（１４）無線端末１０１が、（１３）の処理で送信されたパケットに対応するＡｃｋパケットを、無線端末１０２の代わりに５ＧＨｚ帯無線ＬＡＮ上に送出する。
【００９１】
なお、上記（１２）から（１４）までの一連のパケット送出間隔は、ＩＥＥＥ８０２．１１で規定されている最小のパケット送出間隔であるＳＩＦＳ間隔である。
【００９２】
このような一連の処理によって、５ＧＨｚ帯無線ＬＡＮからの受信機能しか持たない無線端末１０２でも、通常の無線ＬＡＮプロトコルで動作している無線端末１０３にも影響を与えることなく、５ＧＨｚ帯無線ＬＡＮからのデータを受信できるようになり、ＩＥＥＥ８０２．１１のようなプロトコルで運用されている無線ＬＡＮ上において、片方向のデータダウンロードサービスを提供できるようになる。
【００９３】
なお、上記の例では、無線端末１０２において、２．４ＧＨｚ帯無線ＬＡＮのＭＡＣアドレスと５ＧＨｚ帯無線ＬＡＮのＭＡＣアドレスに別々のアドレスを用いている場合について示したが、前述のように、必ずしもＭＡＣアドレスが別々のものである必要はなく、同一のＭＡＣアドレスを用いても構わない。
【００９４】
また、上記の処理（２）において、無線端末１０１が記憶する、ＭＡＣアドレスの対応関係を示す対応表の一例を図７に示す。図７では、無線端末１０１が通信可能な無線端末の有する、各インタフェースへのＭＡＣアドレスが記されている。このような対応表を用いる方法によって、上記に示したような、２．４ＧＨｚ帯無線ＬＡＮと５ＧＨｚ帯無線ＬＡＮ上の片方向ダウンリンクを用いた通信が可能となる。
【００９５】
（第２の実施形態）
第１の実施形態ではＰ．Ｃ．である無線端末１０１から無線端末１０２へのデータ転送について説明したが、本実施形態では（基本的には第１の実施形態と同様の構成において）無線端末１０３から無線端末１０２へのデータ転送について説明する。また、本実施形態では、通常の（無線端末１０３の）ＭＡＣ処理で無線端末１０３から無線端末１０２にデータ転送する場合と、Ｐ．Ｃ．の無線端末１０１を中継して無線端末１０３から無線端末１０２にデータ転送する場合について説明する。
【００９６】
図８に、第１の実施形態と同様の構成において、無線端末１０３から無線端末１０２へのデータ転送を実現する場合を示す。ここでは、無線端末１０２が、５ＧＨｚ帯の無線ＬＡＮ上に存在する端末のＭＡＣアドレスを、ＩＥＥＥ８０２．１１の枠組により知ることができ、その結果、無線端末１０３からのパケット転送を要求する場合を示している。
【００９７】
ここで、無線端末１０３は５ＧＨｚ帯の無線ＬＡＮが用いているＩＥＥＥ８０２．１１のプロトコルに従っているが、無線端末１０２は、５ＧＨｚ帯の無線ＬＡＮからの受信機能のみが実装された端末である。よって、本実施形態では、無線端末１０３から無線端末１０２へのデータ転送が５ＧＨｚ帯の無線ＬＡＮを介して直接実行できる場合と、無線端末１０３からのデータを、無線端末１０２へのデータ転送機能を有する無線端末１０１を介して転送する場合の２通りの方法が考えられる。
【００９８】
通常、ＩＥＥＥ８０２．１１のＭＡＣプロトコルにおいては、ある端末に対してパケットを送信した後に、その端末からのＡｃｋパケットが戻らなければ、パケットを送信した端末はパケットの転送に失敗したものと判断して、パケットの再送を行う。よって、無線端末１０２のような、パケットの受信機能のみを有する端末に対してパケットを転送する場合には、何らかの工夫をしなければ、同じパケットを何度も繰り返し送信してしまうことになる。このための工夫としては、例えば、自端末から送信したパケットの宛先によってＡｃｋパケットの受信の有無を無視するようにしたり、パケットの宛先端末以外の端末（例えば送信元の端末）が、代わりにＡｃｋパケットを送信する等の処理が考えられる。以下では、パケットを送信する端末が無線端末１０３のようなＩＥＥＥ８０２．１１に準拠した端末であることを仮定しているので、前者のようなＡｃｋパケットを無視する方法を用いることはできない。よって、以下の例では、無線端末１０３から無線端末１０２へのパケット送信に対応するＡｃｋパケットを、無線端末１０１が無線端末１０２の代わりに送出することで、無線端末１０３から無線端末１０２への直接のパケット転送を実現する例を示す。
【００９９】
図９に、上記の無線端末１０１が代理にＡｃｋパケットを送出する方式により、無線端末１０３から無線端末１０２に直接パケット転送する場合の処理シーケンスの一例を示す。ここでも、５ＧＨｚ帯の無線ＬＡＮ上の転送プロトコルとしてＩＥＥＥ８０２．１１におけるＣｏｎｔｅｎｔｉｏｎ  Ｍｏｄｅでのデータ転送処理が行なわれているものとする。また、無線端末１０２は第１の実施形態に示したような手順を用いて、５ＧＨｚ帯の無線ＬＡＮに加入するものとする。以下に、具体的な処理シーケンスを示す。
【０１００】
（０）無線端末１０２が、無線端末１０１と認証処理を実行し、２．４ＧＨｚ帯無線を用いて通信可能の状態になる。
【０１０１】
（１）無線端末１０３が、無線端末１０１と認証処理を実行した後、無線端末１０１がＰ．Ｃ．となっている５ＧＨｚ帯無線ＬＡＮに加入する（５ＧＨｚ帯無線ＬＡＮ経由）。
【０１０２】
（２）無線端末１０２が、２．４ＧＨｚ帯無線を介して、無線端末１０１と５ＧＨｚ帯無線での認証処理を実行した後、無線端末１０１がＰ．Ｃ．となっている５ＧＨｚ帯無線ＬＡＮに加入する。
【０１０３】
（３）無線端末１０１が、ＩＥＥＥ８０２．１１のプロトコルに従って、５ＧＨｚ帯の無線ＬＡＮ内に存在する無線端末のＭＡＣアドレス情報を通知する。
【０１０４】
（４）無線端末１０２が、無線端末１０３から無線端末１０２に５ＧＨｚ帯無線ＬＡＮ経由でデータ転送する旨の要求を、２．４ＧＨｚ帯無線ＬＡＮ経由で無線端末１０１に送出する。
【０１０５】
（５）無線端末１０１が、（４）の要求に基づいて、無線端末１０２の代わりに５ＧＨｚ帯無線ＬＡＮ上にＲＴＳパケットを送出し、メディアを予約する。このときのパケットの送信元端末は無線端末１０３、受信先端末は無線端末１０２である。
【０１０６】
（６）無線端末１０３が、（５）のＲＴＳパケットに対応するＣＴＳ（Ｃｌｅａｒ  ｔｏ  Ｓｅｎｄ）パケットを５ＧＨｚ帯無線ＬＡＮ上に送出し、メディアを予約する。
【０１０７】
（７）無線端末１０３が、無線端末１０２に向けてパケットを送出する。
【０１０８】
（８）無線端末１０１が、（７）の処理で送信されたパケットに対応するＡｃｋパケットを、無線端末１０２の代わりに５ＧＨｚ帯無線ＬＡＮ上に送出する。
【０１０９】
なお、上記（５）から（８）までの一連のパケット送出間隔は、ＩＥＥＥ８０２．１１で規定されている最小のパケット送出間隔であるＳＩＦＳ間隔である。
【０１１０】
次に、無線端末１０３から無線端末１０２への直接のパケット転送が不可能な場合の処理について説明する。ここでは、図８の構成中、無線端末１０３は無線端末１０１とのみ通信可能であり、無線端末１０２は無線端末１０１からのみパケットを受信可能であるものとする。よって、無線端末１０３から無線端末１０２に対してパケットを転送する場合には、一旦、無線端末１０１を介さなければならないことになる。以下の例では、無線端末１０２から「無線端末１０３から無線端末１０２へのパケット転送要求」を２．４ＧＨｚ帯の無線ＬＡＮ経由で受信した無線端末１０１が、無線端末１０３から自端末（無線端末１０１）までのパケット転送と、自端末（無線端末１０１）から無線端末１０２へのパケット転送の２回のパケット転送を起動する方法を示している。
【０１１１】
図１０に、上記のような方法によって、無線端末１０３から無線端末１０２にパケットを転送する場合の処理シーケンスの一例を示す。ここでも、５ＧＨｚ帯の無線ＬＡＮ上の転送プロトコルとしてＩＥＥＥ８０２．１１におけるＣｏｎｔｅｎｔｉｏｎ  Ｍｏｄｅでのデータ転送処理が行なわれているものとする。また、無線端末１０２は、第１の実施形態に示したような手順を用いて５ＧＨｚ帯の無線ＬＡＮに加入するものとする。以下、具体的な処理シーケンスを示す。
【０１１２】
（０）無線端末１０２が、無線端末１０１と認証処理を実行し、２．４ＧＨｚ帯無線を用いて通信可能の状態になる。
【０１１３】
（１）無線端末１０３が、無線端末１０１と認証処理を実行した後、無線端末１０１がＰ．Ｃ．となっている５ＧＨｚ帯無線ＬＡＮに加入する（５ＧＨｚ帯無線ＬＡＮ経由）。
【０１１４】
（２）無線端末１０２が、２．４ＧＨｚ帯無線を介して、無線端末１０１と５ＧＨｚ帯無線での認証処理を実行した後、無線端末１０１がＰ．Ｃ．となっている５ＧＨｚ帯無線ＬＡＮに加入する。
【０１１５】
（３）無線端末１０１が、ＩＥＥＥ８０２．１１のプロトコルに従って、５ＧＨｚ帯の無線ＬＡＮ内に存在する無線端末のＭＡＣアドレス情報を通知する。
【０１１６】
（４）無線端末１０２が、無線端末１０３から無線端末１０２に５ＧＨｚ帯無線ＬＡＮ経由でデータ転送する旨の要求を、２．４ＧＨｚ帯無線ＬＡＮ経由で無線端末１０１に送出する。
【０１１７】
（５）無線端末１０１が、（４）の要求に基づいて、無線端末１０２の代わりに５ＧＨｚ帯無線ＬＡＮ上にＲＴＳパケットを送出し、メディアを予約する。このときのパケットの送信元端末は無線端末１０３、受信先端末は無線端末１０１である。
【０１１８】
（６）無線端末１０３が、（５）のＲＴＳパケットに対応するＣＴＳ（Ｃｌｅａｒ  ｔｏ  Ｓｅｎｄ）パケットを５ＧＨｚ帯無線ＬＡＮ上に送出し、メディアを予約する。
【０１１９】
（７）無線端末１０３が、無線端末１０１に向けてパケットを送出する。
【０１２０】
（８）無線端末１０１が、（７）の処理で送信されたパケットに対応するＡｃｋパケットを、５ＧＨｚ帯無線ＬＡＮ上に送出する。
【０１２１】
なお、上記（５）から（８）までの一連のパケット送出間隔は、ＩＥＥＥ８０２．１１で規定されている最小のパケット送出間隔であるＳＩＦＳ間隔である。
【０１２２】
（９）一定時間（例えばＤＩＦＳ間隔）経った後に、無線端末１０１が、再度（４）の要求に基づいて、無線端末１０２の代わりに５ＧＨｚ帯無線ＬＡＮ上にＲＴＳパケットを送出し、メディアを予約する。このときのパケットの送信元端末は無線端末１０１、受信先端末は無線端末１０２である。
なお、無線端末１０１が、このＲＴＳパケットに対応するＣＴＳ（Ｃｌｅａｒｔｏ  Ｓｅｎｄ）パケットを５ＧＨｚ帯無線ＬＡＮ上に送出し、メディアを予約してもよい。
【０１２３】
（１０）無線端末１０１が、（７）の処理で受信したパケットを無線端末１０１に向けて送出する。
【０１２４】
（１１）無線端末１０１が、（１０）の処理で送信されたパケットに対応するＡｃｋパケットを、５ＧＨｚ帯無線ＬＡＮ上に送出する。
【０１２５】
なお、上記（９）から（１１）までの一連のパケット送出間隔は、ＩＥＥＥ８０２．１１で規定されている最小のパケット送出間隔であるＳＩＦＳ間隔である。
【０１２６】
このような方法を用いることで、５ＧＨｚ帯の無線ＬＡＮの規格に準拠した無線端末（無線端末１０３）と、５ＧＨｚ帯の無線ＬＡＮからの受信機能しか持たない無線端末（無線端末１０２）との間でのパケット転送が可能となる。
【０１２７】
（第３の実施形態）
次に、無線ネットワーク（２．４ＧＨｚ帯と５ＧＨｚ帯の無線ＬＡＮの併用システム）をＩＥＥＥ１３９４バスと一緒に運用する場合について説明する。
【０１２８】
本実施形態では、ＩＥＥＥ１３９４バス上には２．４ＧＨｚ帯無線ＬＡＮと５ＧＨｚ帯無線ＬＡＮの両方で通信可能なＰ．Ｃ．機能を持つ無線端末を設け、該無線端末が、ＩＥＥＥ１３９４バス上のＤＶＤ等の装置から５ＧＨｚ帯無線ＬＡＮについては受信機能のみを有する（もしくは受信機能のみを使用可能な）無線端末へのデータ転送を仲介するようにした場合について説明する。
【０１２９】
ここでは、無線ネットワーク上の無線端末が、ＩＥＥＥ１３９４バス上に存在するＤＶＤから画像情報をダウンロードする場合で、特に２．４ＧＨｚ帯無線ＬＡＮを介してＤＶＤとの間でのＡＶ制御プロトコルを実行し、実際の画像データについては５ＧＨｚ帯無線ＬＡＮを介して受信する場合について説明する。
【０１３０】
図１１に、この場合のネットワークシステムの構成例を示す。これらの無線ＬＡＮは、第１、第２の実施形態の場合と同様にＩＥＥＥ８０２．１１のプロトコルに従って運用されているものとする。図１１においては、５ＧＨｚ帯無線ＬＡＮ（図中、６２１）におけるＰ．Ｃ．機能を提供する無線端末６０１と、５ＧＨｚ帯無線ＬＡＮへの送受信機能を有する無線端末６０３と、５ＧＨｚ帯無線ＬＡＮからの受信機能のみを有する無線端末６０２が存在する。また、無線端末１０１と無線端末１０３は、２．４ＧＨｚ帯無線ＬＡＮへの送受信機能も有し、これによって通信可能である。さらに、無線端末６０１はＩＥＥＥ１３９４バス（図中、６２３）へのインタフェースも有しており、ＩＥＥＥ１３９４バス経由でＴＶ６０４とＤＶＤ６０５に接続している。
【０１３１】
本実施形態においては、無線端末６０２とＤＶＤ６０５との間で実行されるＡＶ制御のプロトコル（ＡＶ／Ｃプロトコル）が２．４ＧＨｚ帯無線ＬＡＮ／ＩＥＥＥ１３９４バス経由で実行され、その結果、ＤＶＤ６０５から送られてくるＭＰＥＧ２データがＩＥＥＥ１３９４／５ＧＨｚ帯無線ＬＡＮ経由で無線端末６０２に転送される場合について述べる。
【０１３２】
ここで、ＡＶ／Ｃプロトコルでは、１３９４インタフェースを有する１３９４ノードをＵｎｉｔと呼ばれる単位で認識し、さらに１３９４端末内の構成要素（例えば、コンポーネントシステム中のカセットテープ部分やＣＤ部分など）をＳｕｂＵｎｉｔと呼ばれる単位で認識する。本実施形態では、ＩＥＥＥ１３９４バス上に存在するＤＶＤ６０５と無線端末６０２が互いに直接認識し合うのではなく、ＤＶＤ６０５や無線端末６０２内に存在する構成要素（ＡＶ／ＣプロトコルでのＳｕｂＵｎｉｔ）のレベルで認識し合った上で、ＡＶ／Ｃプロトコルを実行する場合を想定している。具体的には、図１１の場合、無線端末６０２からは、ＩＥＥＥ１３９４バス上のＤＶＤ６０５内の構成要素（ＳｕｂＵｎｉｔ）が、あたかも無線端末６０１内に存在するように認識され、ＩＥＥＥ１３９４バス上のＤＶＤ６０５からは、無線端末６０２内の構成要素（ＳｕｂＵｎｉｔ）が、あたかも無線端末６０１内に存在するように認識される。
【０１３３】
以下では、このような認識に基づいて、無線端末６０２とＤＶＤ６０５との間でＡＶ／Ｃプロトコルが実行されるものとし、その上でＤＶＤ６０５中のＭＰＥＧ２データを無線端末６０２に転送する場合の処理方式について詳細に述べる。
【０１３４】
本実施形態において、ＡＶ／Ｃプロトコルがどのように実行されているのかを図１２に、実際のＭＰＥＧ２データ転送がどのように実行されているのかを図１３に示す。図１２および図１３からわかるように、無線端末６０１では、ＩＥＥＥ１３９４バスのプロトコルを終端し、その上位レイヤプロトコル（例えば、ＡＶ／ＣプロトコルにおけるＦＣＰレイヤや、ＭＰＥＧ２データ転送におけるＣＩＰレイヤ）のレベルにおいて、２．４ＧＨｚ帯無線ＬＡＮや５ＧＨｚ帯無線ＬＡＮとＩＥＥＥ１３９４バスとの間の接続機能を提供している。
【０１３５】
このような方式で運用される無線ネットワークにおいて、実際に無線端末６０２からの要求にしたがってＤＶＤ６０５上のＭＰＥＧ２データを無線端末６０２に転送する際の処理について述べる。以下の例では、ＩＥＥＥ１３９４バス上のＤＶＤ６０５内にＶＴＲ  ＳｕｂＵｎｉｔが存在し、無線端末６０２内にＤｉｓｐｌａｙ  ＳｕｂＵｎｉｔが存在し、これらＳｕｂＵｎｉｔ間でＭＰＥＧ２データの転送が行なわれる場合について説明する。
【０１３６】
図１４に、ＤＶＤ６０５と無線端末６０２が、お互いをどのように認識し、どのような通信リソースを確保してＭＰＥＧ２データ転送を実行するのかを示す。図１４においては、ＤＶＤ６０５からは、無線端末６０２内のＤｉｓｐｌａｙ  ＳｕｂＵｎｉｔが、あたかも無線端末６０１内に存在するように見え、このＤｉｓｐｌａｙ  ＳｕｂＵｎｉｔとＶＴＲ  ＳｕｂＵｎｉｔとの間が、ＤＶＤ６０５内の内部コネクションＢと、ＩＥＥＥ１３９４バス上のＩｓｏｃｈｒｏｎｏｕｓチャネルＸと、無線端末６０１内の内部コネクションＡによって接続されている。また、無線端末６０２からは、ＤＶＤ６０５内のＶＴＲ  ＳｕｂＵｎｉｔが、あたかも無線端末６０１内に存在するように見え、このＶＴＲ  ＳｕｂＵｎｉｔとＤｉｓｐｌａｙ  ＳｕｂＵｎｉｔの間が、無線端末６０２内の内部コネクションＤと、５ＧＨｚ帯無線ＬＡＮ上のチャネルＹと、無線端末６０１内の内部コネクションＣによって接続されている。
【０１３７】
ここで、ＤＶＤ６０５や無線端末６０１、６０２内のＯ＿ＰｌｕｇやＩ＿Ｐｌｕｇは、ＩＥＥＥ１３９４バス上のＩｓｏｃｈｒｏｎｏｕｓチャネルからのデータ送受信を行なうインタフェースのことであり、ＩＳＯ−ＩＥＣ６１８８３プロトコルによって定義されるものである。また、ＤＶＤ６０５や無線端末６０１、６０２内の内部コネクションＡ，Ｂ，Ｃ，Ｄは、各１３９４ノード内や無線端末内のＳｕｂＵｎｉｔ間やＳｕｂＵｎｉｔ−Ｐｌｕｇ間を接続するものであり、ＡＶ／Ｃプロトコルによって設定／開放される。よって、図１１のような構成において、ＤＶＤ６０５から無線端末６０２にＭＰＥＧ２データを転送するためには、これらＩＳＯ−ＩＥＣ６１８８３プロトコルやＡＶ／Ｃプロトコルを用いて通信経路の設定を行なった上で、ＭＰＥＧ２データの転送指示をすることになる。この時の転送指示は、ＡＶ／Ｃプロトコルによって実行される。
【０１３８】
以下に、図１４のような通信リソースを確保した上で、ＭＰＥＧ２データをＤＶＤ６０５から無線端末６０２に転送する際の、処理シーケンスについて説明する。ここでは、５ＧＨｚ帯無線ＬＡＮ上においてもＩＳＯ−ＩＥＣ６１８８３プロトコルが実行可能な場合を想定しており、５ＧＨｚ帯無線ＬＡＮ上でのＭＰＥＧ２データ通信は、５ＧＨｚ帯無線ＬＡＮ上の何らかの通信チャネル（図１４ではチャネルＹ）によって転送される場合を想定している。また、２．４ＧＨｚ帯や５ＧＨｚ帯無線ＬＡＮ上では、ＩＥＥＥ８０２．１１プロトコルにおけるＣｏｎｔｅｎｔｉｏｎ  Ｍｏｄｅによるデータ転送処理が行なわれているものとする。また、無線端末６０２が第１の実施形態に示したような手順を用いて、５ＧＨｚ帯無線ＬＡＮに加入する場合について説明する。図１５に処理シーケンスの一例を示す。以下に、具体的な処理シーケンスを示す。
【０１３９】
（０）無線端末６０２が、無線端末６０１と認証処理を実行し、２．４ＧＨｚ帯無線を用いて通信可能の状態になる。
【０１４０】
（１）無線端末６０２が無線端末６０１に自端末内のＳｕｂＵｎｉｔ情報を通知し、ＤＶＤ６０５も無線端末６０１に自ノード内のＳｕｂＵｎｉｔ情報を通知する。
【０１４１】
（２）無線端末６０２が、無線端末６０１内のＳｕｂＵｎｉｔ情報の開示を無線端末６０１に要求する。
【０１４２】
（３）無線端末６０１が、自端末内のＳｕｂＵｎｉｔ情報として、実際にはＤＶＤ６０５内に存在するＶＴＲ  ＳｕｂＵｎｉｔを開示する。
【０１４３】
（４）無線端末６０２が、２．４ＧＨｚ帯無線を介して、無線端末６０１と５ＧＨｚ帯無線での認証処理を実行した後、無線端末６０１がＰ．Ｃ．となっている５ＧＨｚ帯無線ＬＡＮに加入する。
ここで、２．４ＧＨｚ帯無線で利用されているＭＡＣアドレス（＝Ｙ）を、そのまま５ＧＨｚ帯無線ＬＡＮにおけるＭＡＣアドレスとして利用する。
【０１４４】
（５）無線端末６０２が、５ＧＨｚ帯無線ＬＡＮ上でのチャネル獲得要求を２．４ＧＨｚ帯無線ＬＡＮ経由で実行する（無線端末６０１がチャネルＹを獲得する）。
【０１４５】
（６）無線端末６０２が、ＩＳＯ−ＩＥＣ６１８８３プロトコルに従って、無線端末６０１内のＯ＿Ｐｌｕｇから無線チャネルＹへのデータ送信を設定し、自端末内のＩ＿Ｐｌｕｇによる無線チャネルＹからのデータ受信を設定する。
【０１４６】
（７）無線端末６０２が、無線端末６０１内に存在すると認識しているＶＴＲＳｕｂＵｎｉｔとＯ＿Ｐｌｕｇとの間を内部コネクションＣで接続するためのＡＶ／Ｃコマンド（コネクトコマンド）を送出する。同時に、自端末内のＤｉｓｐｌａｙ  ＳｕｂＵｎｉｔとＩ＿Ｐｌｕｇとの間を内部コネクションＣで接続する。
【０１４７】
（８）無線端末６０１が、無線端末６０２からのコネクトコマンドに対応し、ＩＥＥＥ１３９４バス上のＩｓｏｃｈｒｏｎｏｕｓチャネルＸを獲得する。
【０１４８】
（９）無線端末６０１が、ＩＳＯ−ＩＥＣ６１８８３プロトコルに従って、ＤＶＤ６０５内のＯ＿ＰｌｕｇからＩｓｏｃｈｒｏｎｏｕｓチャネルＸへのデータ送信を設定し、自端末内のＩ＿ＰｌｕｇによるＩｓｏｃｈｒｏｎｏｕｓチャネルＸからのデータ受信を設定する。
【０１４９】
（１０）無線端末６０１が、ＤＶＤ６０５内に存在するＶＴＲ  ＳｕｂＵｎｉｔとＯ＿Ｐｌｕｇとの間を内部コネクションＢで接続するためのＡＶ／Ｃコマンド（コネクトコマンド）を送出する。同時に、自端末内のＤｉｓｐｌａｙ  ＳｕｂＵｎｉｔとＩ＿Ｐｌｕｇ間を内部コネクションＡで接続する。
【０１５０】
（１１）無線端末６０２が、コネクトコマンドの正常通知（ＡＶ／Ｃレスポンス）を受信したなら、ＶＴＲ  ＳｕｂＵｎｉｔに対してＡＶ／Ｃコマンド（プレイコマンド）をＡＶ／Ｃプロトコルによって送信する。
【０１５１】
（１２）無線端末６０１が、ＶＴＲ  ＳｕｂＵｎｉｔに対して送られてきたＡＶ／Ｃコマンド（プレイコマンド）をＤＶＤ６０５に転送する。
【０１５２】
（１３）ＤＶＤ６０５から、所望のＭＰＥＧ２データが無線端末６０１内のＤｉｓｐｌａｙ  ＳｕｂＵｎｉｔに対して転送されてくる。
【０１５３】
（１４）無線端末６０１が、転送されてきたＭＰＥＧ２データを、実際のデータ転送先である無線端末６０２のＤｉｓｐｌａｙ  ＳｕｂＵｎｉｔに向けて、５ＧＨｚ帯無線ＬＡＮを介して転送する。
【０１５４】
このような一連の処理によって、５ＧＨｚ帯無線ＬＡＮからの受信機能しか持たない無線端末６０２でも、５ＧＨｚ帯無線ＬＡＮに接続しているＩＥＥＥ１３９４バス上の映像データを受信できるようになる。特に、ＭＰＥＧ２データのような広帯域のデータを転送するための通信リソース処理と、ＭＰＥＧ２データ転送に必要なＡＶ制御プロトコルも実行できるようになっている。
【０１５５】
（第４の実施形態）
次に、無線ネットワークとして２．４ＧＨｚ帯無線ＬＡＮと５ＧＨｚ帯無線ＬＡＮが独立に運用されている場合に、それら２．４ＧＨｚ帯無線ＬＡＮ上のＰ．Ｃ．機能を提供する無線端末と５ＧＨｚ帯無線ＬＡＮ上のＰ．Ｃ．機能を提供する無線端末とが共に同一のＩＥＥＥ１３９４バス上に存在する場合について説明する。本実施形態でも、無線ネットワーク上の無線端末が、ＩＥＥＥ１３９４バス上に存在するＤＶＤから画像情報をダウンロードする場合で、特に２．４ＧＨｚ帯無線ＬＡＮを介してＤＶＤとの間でのＡＶ制御プロトコルを実行し、実際の画像データについては５ＧＨｚ帯無線ＬＡＮを介して受信する場合について説明する。
【０１５６】
本実施形態と第３の実施形態との相違点は、本実施形態においては２．４ＧＨｚ帯無線ＬＡＮで通信を行なう端末と５ＧＨｚ帯無線ＬＡＮで通信を行なう端末とが異なる端末であって、これらの端末の間で、２．４ＧＨｚ帯無線ＬＡＮ経由で送られてきた５ＧＨｚ帯無線ＬＡＮ上の制御情報を通知するプロトコルが実行されている点である。
【０１５７】
つまり、先の第３の実施形態においては、図１１の無線端末６０１内において実行されていた、２．４ＧＨｚ帯無線ＬＡＮ経由で受信した、図１５の処理（４）の５ＧＨｚ帯無線ＬＡＮへの加入処理や、処理（６）のＩＳＯ−ＩＥＣ６１８８３プロトコルによる５ＧＨｚ帯無線ＬＡＮ上のプラグ制御処理などの要求の５ＧＨｚ帯無線ＬＡＮ側に対する反映処理を、本実施形態においては、異なる無線端末間での通信プロトコルとして実行するようになっている。このための制御メッセージの転送プロトコルが定義されているものとして、以下の実施形態について説明する。
【０１５８】
図１６に、この場合のネットワークシステムの構成例を示す。これらの無線ＬＡＮは、先の場合と同様にＩＥＥＥ８０２．１１のプロトコルに従って運用されているものとする。図１６においては、５ＧＨｚ帯無線ＬＡＮ（図中、１２０１）におけるＰ．Ｃ．機能を提供する無線端末１１０１と、５ＧＨｚ帯無線ＬＡＮへの送受信機能を有する無線端末１１０３と、５ＧＨｚ帯無線ＬＡＮからの受信機能のみを有する無線端末１１０２が存在する。また、無線端末１１０２は２．４ＧＨｚ帯無線ＬＡＮへの送受信機能も有しており、これによって無線端末１１０６と通信可能である。さらに、無線端末１１０１と無線端末１１０６は同じＩＥＥＥ１３９４バスへのインタフェースも有しており、ＩＥＥＥ１３９４バス（図中、１２０３）経由でＴＶ１１０４とＤＶＤ１１０５に接続している。
【０１５９】
本実施形態においても、無線端末とＩＥＥＥ１３９４バス上のノードの間では、ＡＶ／Ｃプロトコルが２．４ＧＨｚ帯無線ＬＡＮ／ＩＥＥＥ１３９４バス経由で実行され、実際のＭＰＥＧ２データがＩＥＥＥ１３９４／５ＧＨｚ帯無線ＬＡＮ経由で転送される場合について述べる。以下に、第３の実施形態の場合と同様に、ＡＶ／Ｃプロトコル的には図１４のようにネットワークを認識している場合において、ＭＰＥＧ２データをＤＶＤ１１０５から無線端末１１０２に転送する際の、処理シーケンスの一例について説明する。ここでも、５ＧＨｚ帯無線ＬＡＮ上においてもＩＳＯ−ＩＥＣ６１８８３プロトコルが実行可能な場合を想定している。また、無線端末１１０２が第１の実施形態に示したような手順を用いて、５ＧＨｚ帯無線ＬＡＮに加入する場合について説明する。図１７および図１８に処理シーケンスを示す（図１８の処理シーケンスが図１７の処理シーケンスの続きになっている）。以下に、具体的な処理シーケンスを示す。
【０１６０】
（０）無線端末１１０２が、無線端末１１０６と認証処理を実行し、２．４ＧＨｚ帯無線を用いて通信可能の状態になる。
【０１６１】
（１）無線端末１１０１が、無線端末１１０２に対して、自端末内の１３９４インタフェースアドレス（＝Ａ）を通知する（なお、５ＧＨｚ帯無線ＬＡＮにブロードキャストする方法も考えられる）。
【０１６２】
（２）無線端末１１０２が、無線端末１１０６に対して、（１）の処理で通知された無線端末１１０１の有する１３９４アドレス（＝Ａ）を通知する。
【０１６３】
（３）無線端末１１０６が、受信した１３９４アドレス（＝Ａ）がＩＥＥＥ１３９４バス上に存在することを確認し、今後、自装置（無線端末１１０６）に送られてくる５ＧＨｚ帯無線に関する制御メッセージを無線端末１１０１に転送する旨の初期設定を行なう。
【０１６４】
（４）無線端末１１０２が無線端末１１０６に自端末内のＳｕｂＵｎｉｔ情報を通知し、ＤＶＤ１１０５も無線端末１１０６に自ノード内のＳｕｂＵｎｉｔ情報を通知する。
【０１６５】
（５）無線端末１１０２が、無線端末１１０６内のＳｕｂＵｎｉｔ情報の開示を無線端末１１０６に要求する。
【０１６６】
（６）無線端末１１０６が、自端末内のＳｕｂＵｎｉｔ情報として、実際にはＤＶＤ１１０５内に存在するＶＴＲ  ＳｕｂＵｎｉｔを開示する。
【０１６７】
（７）無線端末１１０２が、２．４ＧＨｚ帯無線を介して、無線端末１１０６に、５ＧＨｚ帯無線における認証処理要求や、無線端末１１０１がＰ．Ｃ．となっている５ＧＨｚ帯無線ＬＡＮへの加入要求を送ってきた場合には、無線端末１１０６がその認証要求や加入要求を無線端末１１０１に転送し、無線端末１１０１において無線端末１１０２の認証要求や加入要求を処理する。
ここで、２．４ＧＨｚ帯無線で利用されているＭＡＣアドレス（＝Ｙ１）を、そのまま５ＧＨｚ帯無線ＬＡＮにおけるＭＡＣアドレスとして利用してもよい。
【０１６８】
（８）無線端末１１０２が、２．４ＧＨｚ帯無線を介して、５ＧＨｚ帯無線ＬＡＮ上でのチャネル獲得要求を送ってきた場合には、無線端末１１０６が、そのチャネル獲得要求を無線端末１１０１に転送し、無線端末１１０１において５ＧＨｚ帯無線ＬＡＮ上でのチャネル獲得処理を実行する（チャネルＹを獲得する）。
【０１６９】
（９）無線端末１１０２が、２．４ＧＨｚ帯無線を介して、ＩＳＯ−ＩＥＣ６１８８３プロトコルに従って無線端末１１０１内のＯ＿Ｐｌｕｇから無線チャネルＹへのデータ送信の設定要求を送ってきた場合には、無線端末１１０６がそのデータ送信設定要求を無線端末１１０１に転送し、無線端末１１０１においてデータ送信設定処理を実行する。
【０１７０】
（１０）無線端末１１０２が、２．４ＧＨｚ帯無線を介して、無線端末１１０６内に存在すると認識しているＶＴＲ  ＳｕｂＵｎｉｔとＯ＿Ｐｌｕｇとの間を内部コネクションＣで接続するためのＡＶ／Ｃコマンド（コネクトコマンド）を送出する。同時に、自端末内のＤｉｓｐｌａｙ  ＳｕｂＵｎｉｔとＩ＿Ｐｌｕｇ間を内部コネクションＣで接続する。
【０１７１】
（１１）無線端末１１０６が、無線端末１１０２からのコネクトコマンドに対応し、ＩＥＥＥ１３９４バス上のＩｓｏｃｈｒｏｎｏｕｓチャネルＸを獲得する。
【０１７２】
（１２）無線端末１１０６が、ＩＳＯ−ＩＥＣ６１８８３プロトコルに従って、ＤＶＤ１１０５内のＯ＿ＰｌｕｇからＩｓｏｃｈｒｏｎｏｕｓチャネルＸへのデータ送信を設定する。同時に、無線端末１１０１内のＩ＿ＰｌｕｇによるＩｓｏｃｈｒｏｎｏｕｓチャネルＸからのデータ受信を設定する。
【０１７３】
（１３）無線端末１１０６が、ＤＶＤ１１０５内に存在するＶＴＲ  ＳｕｂＵｎｉｔとＯ＿Ｐｌｕｇとの間を内部コネクションＢで接続するためのＡＶ／Ｃコマンド（コネクトコマンド）を送出する。同時に、自端末内のＤｉｓｐｌａｙ  ＳｕｂＵｎｉｔとＩ＿Ｐｌｕｇ間を内部コネクションＡで接続する。
【０１７４】
（１４）ＤＶＤ１１０５が、（１３）で送信されたＡＶ／Ｃコマンドに対応する処理を実行した後、その処理結果を通知するためのＡＶ／Ｃレスポンスを返送する。このＡＶ／Ｃレスポンスは、２．４ＧＨｚ帯無線を介して、無線端末１１０６から無線端末１１０２に転送される。
【０１７５】
（１５）無線端末１１０６が、無線端末１１０１内のＯ＿ＰｌｕｇとＩ＿Ｐｌｕｇとの間を接続するためのＡＶ／Ｃコマンド（コネクトコマンド）を送出する。
【０１７６】
（１６）無線端末１１０１が、（１５）で送信されたＡＶ／Ｃコマンドに対応する処理を実行した後、その処理結果を通知するためのＡＶ／Ｃレスポンスを返送する。
【０１７７】
（１７）無線端末１１０２が、２．４ＧＨｚ帯無線を介して、（１０）の処理で送信したコネクトコマンドの正常通知（ＡＶ／Ｃレスポンス）を受信したならば、無線端末１１０６内に存在すると認識しているＶＴＲ  ＳｕｂＵｎｉｔに対して（ＡＶ／Ｃレスポンス）を送信する。
【０１７８】
（１８）無線端末１１０６が、ＶＴＲ  ＳｕｂＵｎｉｔに対して送られてきたＡＶ／Ｃコマンド（プレイコマンド）をＤＶＤ１１０５に転送する。
【０１７９】
（１９）ＤＶＤ１１０５が、（１８）で送信されたＡＶ／Ｃコマンドに対応する処理を実行した後、その処理結果を通知するためのＡＶ／Ｃレスポンスを返送する。このＡＶ／Ｃレスポンスは、２．４ＧＨｚ帯無線を介して、無線端末１１０６から無線端末１１０２に転送される。
【０１８０】
（２０）ＤＶＤ１１０５から、所望のＭＰＥＧ２データがＩｓｏｃｈｒｏｎｏｕｓチャネルＸ上に送信される。
【０１８１】
（２１）無線端末１１０１が、ＩｓｏｃｈｒｏｎｏｕｓチャネルＸ上のデータを受信し、それを５ＧＨｚ帯無線上のチャネルＹに転送し、受信したＭＰＥＧ２データを、実際のデータ転送先である無線端末１１０２のＤｉｓｐｌａｙ  ＳｕｂＵｎｉｔに向けて送信する。
【０１８２】
このような一連の処理によって、５ＧＨｚ帯無線ＬＡＮからの受信機能しか持たない無線端末１１０２でも、５ＧＨｚ帯無線ＬＡＮに接続しているＩＥＥＥ１３９４バス上の映像データを受信できるようになる。特に、ＩＥＥＥ１３９４バス上に２．４ＧＨｚ帯の無線通信機能と５ＧＨｚ帯の無線通信機能が別々に存在するような場合でも、２．４ＧＨｚ帯無線の通信機能と５ＧＨｚ帯無線の通信機能との間での初期設定によって、２．４ＧＨｚ帯の無線を介して５ＧＨｚ帯無線の制御／設定が実行できるようになる。また、これにより、ＭＰＥＧ２データのような広帯域のデータを転送するための通信リソース処理と、ＭＰＥＧ２データ転送に必要なＡＶ制御プロトコルも実行できるようになっている。
【０１８３】
なお、以上の各実施形態では、無線ネットワークとは別のネットワークとしてＩＥＥＥ１３９４バスを例にとって説明したが、もちろん、本発明は無線ネットワークとは別のネットワークとしてＩＥＥＥ１３９４バス以外のネットワークを用いたものにも適用可能である。
【０１８４】
また、以上では、各実施形態において家庭網を例にとって説明したが、もちろん、本発明は家庭網以外のネットワークにも適用可能である。
【０１８５】
なお、以上の各機能は、ソフトウェアとしても実現可能である。
【０１８６】
また、本実施形態は、コンピュータに所定の手段を実行させるための（あるいはコンピュータを所定の手段として機能させるための、あるいはコンピュータに所定の機能を実現させるための）プログラムを記録したコンピュータ読取り可能な記録媒体としても実施することもできる。
【０１８７】
本発明は、上述した実施の形態に限定されるものではなく、その技術的範囲において種々変形して実施することができる。
【０１８８】
【発明の効果】
本発明によれば、少なくとも第１のネットワークと第２のネットワークが併用されているネットワークにおいて、第２のネットワークではパケット送受信が可能であるが第１のネットワークではパケット受信だけ可能であるような端末装置が、第１のネットワークでデータを受信するために必要な手続を第２のネットワークを利用して行うことができ、これによって、該端末装置は、第１のネットワークからパケットを送信することなくして（第１のネットワークでパケット送信するための装置を搭載せずして）、第１のネットワークをパケット受信ノードとして有効に利用することができる。
【図面の簡単な説明】
【図１】本発明の第１の実施形態に係る無線端末を含む家庭内ネットワークの一例を示す図
【図２】２．４ＧＨｚ帯無線ＬＡＮおよび５ＧＨｚ帯無線ＬＡＮの制御系パケット転送プロトコルの一例を示す図
【図３】２．４ＧＨｚ帯無線ＬＡＮおよび５ＧＨｚ帯無線ＬＡＮのデータパケット転送プロトコルの一例を示す図
【図４】無線端末間でのパケット転送処理の一例について説明するための図
【図５】無線端末間でのパケット転送処理の他の例について説明するための図
【図６】無線端末における通信処理シーケンスの一例を示す図
【図７】各無線端末の２．４ＧＨｚ帯無線ＬＡＮ上のＭＡＣアドレスと５ＧＨｚ帯無線ＬＡＮ上のＭＡＣアドレスとの対応を記憶するアドレス対応表の一例を示す図
【図８】本発明の第２の実施形態に係る無線端末を用いて通常の無線端末と通信を行なう家庭内ネットワークの一例を示す図
【図９】無線端末を用いて通常の無線端末と通信を行なう場合の通信処理シーケンスの一例を示す図
【図１０】無線端末を用いて通常の無線端末と通信を行なう場合の通信処理シーケンスの一例を示す図
【図１１】本発明の第３の実施形態に係る通信端末とＩＥＥＥ１３９４バスを融合させた家庭内ネットワークの一例を示す図
【図１２】ＡＶ／Ｃプロトコルを実行する際の実行プロトコルの一例を示す図
【図１３】ＭＰＥＧ２データを転送する際の転送プロトコルの一例を示す図
【図１４】無線端末とＩＥＥＥ１３９４バス上のノードが認識するネットワーク構成とネットワーク上に確保される通信リソースの一例を説明するための図
【図１５】無線端末とＩＥＥＥ１３９４バス上のノードとの間でのＡＶ／ＣプロトコルやＭＰＥＧ２データ転送を実行する際の処理シーケンスの一例を示す図
【図１６】本発明の第４の実施形態に係る通信端末とＩＥＥＥ１３９４バスを融合させた家庭内ネットワークのさらに他の一例を示す図
【図１７】無線端末とＩＥＥＥ１３９４バス上のノードとの間でのＡＶ／ＣプロトコルやＭＰＥＧ２データ転送を実行する際の処理シーケンスの他の例を示す図
【図１８】無線端末とＩＥＥＥ１３９４バス上のノードとの間でのＡＶ／ＣプロトコルやＭＰＥＧ２データ転送を実行する際の処理シーケンスの他の例を示す図
【符号の説明】
１０１〜１０３，６０１〜６０３，１１０１〜１１０３…無線端末
１２１，６２１，１２０１…５ＧＨｚ無線ＬＡＮ
６０４，１１０４…ＴＶ装置
６０５，１１０４…ＤＶＤ装置
６２３，１２０３…ＩＥＥＥ１３９４バス
【図１】
0003808660.tif 000002
【図２】
0003808660.tif 000003
【図３】
0003808660.tif 000004
【図４】
0003808660.tif 000005
【図５】
0003808660.tif 000006
【図６】
0003808660.tif 000007
【図７】
0003808660.tif 000008
【図８】
0003808660.tif 000009
【図９】
0003808660.tif 000010
【図１０】
0003808660.tif 000011
【図１１】
0003808660.tif 000012
【図１２】
0003808660.tif 000013
【図１３】
0003808660.tif 000014
【図１４】
0003808660.tif 000015
【図１５】
0003808660.tif 000016
【図１６】
0003808660.tif 000017
【図１７】
0003808660.tif 000018
【図１８】
0003808660.tif 000019